(57)【要約】【課題】モアレ領域を含むシートを撮像した画像からモアレ領域に含まれる所望の領域を含む画像を抽出する。【解決手段】画像領域抽出装置１は、第１方向に延伸する複数の線画を含む第１パターンを有する第１層部と、第１層部と重ねられ且つ第１方向とは異なる第２方向に延伸する複数の線画を含む第２パターンを有する第２層部と、第１層部の第２層部と対向する面の反対の接着面に配置された粘着部及び接着部よりも接着力が低い低接着部とを含むシートを撮像した画像から画像領域を抽出する。このとき、画像領域抽出装置１は、第１パターンと第２パターンが重ねられたことによりモアレが発生するモアレ領域を含むように撮像されたシートを含むシート画像を示すシート画像データを取得し、シート画像から、モアレ領域を抽出し、粘着部が配置されている固定領域の大きさに基づいて、粘着部が配置されていない非固定領域をモアレ領域から抽出し、非固定領域を含む非固定領域画像を示す非固定領域画像データを出力する。【選択図】図１２
2018124155.tif 000002
【特許請求の範囲】
【請求項１】
第１方向に延伸する複数の線画を含む第１パターンを有する第１層部と、前記第１層部と重ねられ且つ前記第１方向とは異なる第２方向に延伸する複数の線画を含む第２パターンを有する第２層部と、前記第１層部の前記第２層部と対向する面の反対の接着面に配置された粘着部及び前記接着部よりも接着力が低い低接着部とを含むシートを撮像した画像から画像領域を抽出する画像領域抽出方法であって、
前記第１パターンと前記第２パターンが重ねられたことによりモアレが発生するモアレ領域を含むように撮像された前記シートを含むシート画像を示すシート画像データを取得し、
前記シート画像から、前記モアレ領域を抽出し、
前記粘着部が配置されている固定領域の大きさに基づいて、前記低粘着部が配置されている非固定領域を前記モアレ領域から抽出し、
前記非固定領域を含む非固定領域画像を示す非固定領域画像データを出力する、
ことを含む処理をコンピュータが実行する、ことを特徴とする画像領域抽出方法。
【請求項２】
前記固定領域は、前記接着面に配置された第１固定領域と、前記第１固定領域から離隔して前記接着面に配置された第２固定領域と、を含み、
前記非固定領域を前記モアレ領域から抽出することは、
前記第１固定領域と前記第２固定領域との間に位置する領域を前記非固定領域として抽出する、
ことを含む、請求項１に記載の画像領域抽出方法。
【請求項３】
前記固定領域の平面形状は、略矩形であり、
前記非固定領域を前記モアレ領域から抽出することは、
前記固定領域の縦横比に基づいて前記非固定領域を抽出する、
ことを含む、請求項１又は２に記載の画像領域抽出方法。
【請求項４】
第１方向に延伸する複数の線画を含む第１パターンを有する第１層部と、前記第１層部と重ねられ且つ前記第１方向とは異なる第２方向に延伸する複数の線画を含む第２パターンを有する第２層部と、前記第１層部の前記第２層部と対向する面の反対の接着面に配置された粘着部及び前記接着部よりも接着力が低い低接着部とを含むシートを撮像した画像から画像領域を抽出する画像領域抽出プログラムであって、
前記第１パターンと前記第２パターンが重ねられたことによりモアレが発生するモアレ領域を含むように撮像された前記シートを含むシート画像を示すシート画像データを取得し、
前記シート画像から、前記モアレ領域を抽出し、
前記粘着部が配置されている固定領域の大きさに基づいて、前記低粘着部が配置されている非固定領域を前記モアレ領域から抽出し、
前記非固定領域を含む非固定領域画像を示す非固定領域画像データを出力する、
処理をコンピュータに実行させる、ことを特徴とする画像領域抽出プログラム。
【請求項５】
第１方向に延伸する複数の線画を含む第１パターンを有する第１層部と、前記第１層部と重ねられ且つ前記第１方向とは異なる第２方向に延伸する複数の線画を含む第２パターンを有する第２層部と、前記第１層部の前記第２層部と対向する面の反対の接着面に配置された粘着部及び前記接着部よりも接着力が低い低接着部とを含むシートを撮像した画像から画像領域を抽出する画像領域抽出装置であって、
前記第１パターンと前記第２パターンが重ねられたことによりモアレが発生するモアレ領域を含むように撮像された前記シートを含むシート画像を示すシート画像データを取得するシート画像データ取得部と、
前記シート画像から、前記モアレ領域を抽出するモアレ領域抽出部と、
前記粘着部が配置されている固定領域の大きさに基づいて、前記低粘着部が配置されている非固定領域を前記モアレ領域から抽出伸縮領域抽出部と、
前記非固定領域を含む非固定領域画像を示す非固定領域画像データを出力する非固定領域出力部と、
を有する、ことを特徴とする画像領域抽出装置。
【請求項６】
第１方向に延伸する複数の線画を含む第１パターンを有する第１層部と、前記第１層部と重ねられ且つ前記第１方向とは異なる第２方向に延伸する複数の線画を含む第２パターンを有する第２層部と、前記第１層部の前記第２層部と対向する面の反対の接着面に配置された粘着部及び前記接着部よりも接着力が低い低接着部とを含むシートを撮像した画像から画像領域を抽出する画像領域抽出システムであって、
前記第１パターンと前記第２パターンが重ねられたことによりモアレが発生するモアレ領域を含むように撮像された前記シートを含むシート画像を示すシート画像データを取得するシート画像データ取得部と、
前記シート画像から、前記モアレ領域を抽出するモアレ領域抽出部と、
前記粘着部が配置されている固定領域の大きさに基づいて、前記低粘着部が配置されている非固定領域を前記モアレ領域から抽出伸縮領域抽出部と、
前記非固定領域を含む非固定領域画像を示す非固定領域画像データを出力する非固定領域出力部と、
を有する、ことを特徴とする画像領域抽出システム。
【発明の詳細な説明】
【技術分野】
【０００１】
本開示は、画像領域抽出方法、画像領域抽出プログラム、画像領域抽出システム及び画像領域抽出装置に関する。
【背景技術】
【０００２】
従来、建造物等の対象物の歪み、損傷等を検出するための方法が種々提案されている。例えば建造物等の構造物のコンクリート壁の変形は、構造物に深刻な損傷をもたらす。このような変形の進行を監視する方法としては、歪みゲージ又はルーラーによる測定が従来公知である。しかし、これらの方法は、歪みゲージ又はルーラーを用いるという測定方法に起因して、測定者による測定値のばらつき（すなわち測定誤差）を有する可能性があり、変形の正確な検出という要求を十分満たすものではない。加えて、測定は対象物の付近で行う必要がある。よって、対象物に近づく必要がなく、かつ正確で簡便な変形測定を可能にする方法に対する要求がある。
【０００３】
特許文献１は、モアレを利用して２地点間の微小な相対変位を計測するモアレを使った変位計測方法であって、計測対象に沿うように設置され相互に重ねられた２枚の板状の部品からなる計測装置の２枚の板状の部品のそれぞれに、空間的に周期構造をもつ格子を表示し、格子同士の光学的な干渉により生じるモアレの移動量を読み取ることで計測対象の変位を計測することを特徴とするモアレを使った変位計測方法を提供する。
【０００４】
特許文献２は、モアレを使って観測地点の微小変位を計測する微小変位計測装置であって、観測地点に設置した空間的に周期構造を持つ実体格子を遠隔地点から撮像する撮像手段、撮像手段の撮像出力をディジタル信号に変換して実体格子画像データを出力する変換手段、および別途作成した参照格子画像データと変換手段から出力された実体格子画像データとを加算平均してモアレ画像データを出力する画像処理手段を備えた、モアレを使った微小変位計測装置を提供する。
【０００５】
特許文献３は、被測定対象に直接的或いは間接的に取り付けられ、複数の平行線が施された固定側モアレスリット板と、被測定対象に直接的或いは間接的に取り付けられる振動伝達部材と、振動伝達部材に固定される振動子と、振動子に固定され、複数の平行線が施された移動側モアレスリット板と、を備え、それぞれの平行線の角度が異なるように固定側モアレスリット板と移動側モアレスリット板とが重ねて配置されてモアレを発現させ、振動伝達部材を経由する被測定対象の振動による振動子の変位により移動側モアレスリット板をスライドさせ、モアレの変位量を振動子の変位量よりも大きくして表示する、ことを特徴とする微小変位表示デバイスを提供する。
【０００６】
特許文献４は、シート状繊維にマトリックス樹脂を含浸させて形成した繊維含有プラスチックプレートと、該繊維含有プラスチックプレートをコンクリート表面に貼付するための接着材とで構成されるセンサで、該繊維含有プラスチックプレートを該接着材で被測定コンクリートのひび割れを跨ぐように貼付して、ひび割れ幅の拡大に対応して生じる白化部分に基づいて該ひび割れの成長を検出できるようにしたことを特徴とするコンクリートひび割れセンサを提供する。
【０００７】
特許文献５は、第１パターンを有する変形追従部、第２パターンを有する非変形追従部、及び該変形追従部と該非変形追従部との間に存在する変形緩衝部、を有するシートであって、該第１パターンが該第２パターンを介して視認可能である、シートを記載する。
【０００８】
また、撮像された画像に含まれる特定の領域を抽出する種々の技術が知られる。
【０００９】
特許文献６は、罫線を含む表と、表に含まれる情報とが示される文書を含む画像において罫線の位置を特定することで、撮像した画像を、罫線を含む罫線画像と情報を表す情報画像とに分離することを記載する。
【００１０】
特許文献７は、入力画像データの同一の有効画像領域を構成する画素群に同一のラベル番号でラベリングを施すと共に当該画素群の外接矩形の位置情報を検出することで、入力画像に含まれる有効画像領域を抽出することを記載する。
【００１１】
特許文献８は、ナンバープレートを撮像した画像に含まれる矩形内の特徴データによってナンバープレートらしさを定量化し、定量化された特徴データと閾値との比較結果に基づいてナンバープレートの候補となる矩形を選定することを記載する。
【先行技術文献】
【特許文献】
【００１２】
【特許文献１】特開２０１１−１９１２８２号公報
【特許文献２】特開平１０−０８２６１４号公報
【特許文献３】特開２０１０−２７１２５３号公報
【特許文献４】特開２０１２−０９３２６０号公報
【特許文献５】特開２０１５−１８４０４３号公報
【特許文献６】特開２００７−２４１４２８号公報
【特許文献７】特開２００３−１７９７３９号公報
【特許文献８】特開２００９−０１５５１５号公報
【発明の概要】
【発明が解決しようとする課題】
【００１３】
しかしながら、モアレが発生するモアレ領域を含むシートを撮像した画像から、モアレ領域に含まれる所望の領域を含む画像を抽出することは、提案されていなかった。
【００１４】
本発明は、上記の課題を解決し、モアレ領域を含むシートを撮像した画像からモアレ領域に含まれる所望の領域を含む画像を抽出可能な画像領域抽出方法、画像領域抽出プログラム、画像領域抽出システム及び画像領域抽出装置を提供することを目的とする。
【課題を解決するための手段】
【００１５】
本発明の画像領域抽出方法は、第１方向に延伸する複数の線画を含む第１パターンを有する第１層部と、第１層部と重ねられ且つ第１方向とは異なる第２方向に延伸する複数の線画を含む第２パターンを有する第２層部と、第１層部の第２層部と対向する面の反対の接着面に配置された粘着部及び接着部よりも接着力が低い低接着部とを含むシートを撮像した画像から画像領域を抽出する画像領域抽出方法であって、第１パターンと第２パターンが重ねられたことによりモアレが発生するモアレ領域を含むように撮像されたシートを含むシート画像を示すシート画像データを取得し、コンピュータが、シート画像から、モアレ領域を抽出し、粘着部が配置されている固定領域の大きさに基づいて、低粘着部が配置されている非固定領域をモアレ領域から抽出し、非固定領域を含む非固定領域画像を示す非固定領域画像データを出力する、ことを含む処理をコンピュータが実行する、ことを特徴とする。
【００１６】
上記の画像領域抽出方法では、固定領域は、接着面に配置された第１固定領域と、第１固定領域から離隔して接着面に配置された第２粘着部と、を含み、非固定領域をモアレ領域から抽出することは、第１固定領域と第２固定領域との間に位置する領域を非固定領域として抽出することを含むことが好ましい。
【００１７】
上記の画像領域抽出方法では、固定領域の平面形状は、略矩形であり、非固定領域をモアレ領域から抽出することは、コンピュータが、固定領域の縦横比に基づいて非固定領域を抽出することを含むことが好ましい。
【００１８】
さらに、本発明に係る画像領域抽出プログラムは、第１方向に延伸する複数の線画を含む第１パターンを有する第１層部と、第１層部と重ねられ且つ第１方向とは異なる第２方向に延伸する複数の線画を含む第２パターンを有する第２層部と、第１層部の第２層部と対向する面の反対の接着面に配置された粘着部及び接着部よりも接着力が低い低接着部とを含むシートを撮像した画像から画像領域を抽出する画像領域抽出プログラムであって、第１パターンと第２パターンが重ねられたことによりモアレが発生するモアレ領域を含むように撮像されたシートを含むシート画像を示すシート画像データを取得し、シート画像から、モアレ領域を抽出し、粘着部が配置されている固定領域の大きさに基づいて、低粘着部が配置されている非固定領域をモアレ領域から抽出し、非固定領域を含む非固定領域画像を示す非固定領域画像データを出力する、処理をコンピュータに実行させる、ことを特徴とする。
【００１９】
さらに、本発明に係る画像領域抽出装置は、第１方向に延伸する複数の線画を含む第１パターンを有する第１層部と、第１層部と重ねられ且つ第１方向とは異なる第２方向に延伸する複数の線画を含む第２パターンを有する第２層部と、第１層部の第２層部と対向する面の反対の接着面に配置された粘着部及び接着部よりも接着力が低い低接着部とを含むシートを撮像した画像から画像領域を抽出する画像領域抽出装置であって、第１パターンと第２パターンが重ねられたことによりモアレが発生するモアレ領域を含むように撮像されたシートを含むシート画像を示すシート画像データを取得するシート画像データ取得部と、シート画像から、モアレ領域を抽出するモアレ領域抽出部と、粘着部が配置されている固定領域の大きさに基づいて、低粘着部が配置されている非固定領域をモアレ領域から抽出伸縮領域抽出部と、非固定領域を含む非固定領域画像を示す非固定領域画像データを出力する非固定領域出力部と、を有する、ことを特徴とする。
【００２０】
さらに、本発明に係る画像領域抽出システムは、第１方向に延伸する複数の線画を含む第１パターンを有する第１層部と、第１層部と重ねられ且つ第１方向とは異なる第２方向に延伸する複数の線画を含む第２パターンを有する第２層部と、第１層部の第２層部と対向する面の反対の接着面に配置された粘着部及び接着部よりも接着力が低い低接着部とを含むシートを撮像した画像から画像領域を抽出する画像領域抽出システムであって、第１パターンと第２パターンが重ねられたことによりモアレが発生するモアレ領域を含むように撮像されたシートを含むシート画像を示すシート画像データを取得するシート画像データ取得部と、シート画像から、モアレ領域を抽出するモアレ領域抽出部と、粘着部が配置されている固定領域の大きさに基づいて、低粘着部が配置されている非固定領域をモアレ領域から抽出伸縮領域抽出部と、非固定領域を含む非固定領域画像を示す非固定領域画像データを出力する非固定領域出力部と、を有する、ことを特徴とする。
【発明の効果】
【００２１】
本発明によれば、モアレ領域を含むシートを撮像した画像からモアレ領域に含まれる所望の領域を含む画像を抽出ことができる。
【図面の簡単な説明】
【００２２】
【図１】本開示のシートの例を示す図である。
【図２】本開示のシートの第１の主面における固定領域及び非固定領域の例を示す図である。
【図３】本開示のシートの一例を示す図である。
【図４】本開示のシートの他の例を示す図である。
【図５】本開示のシートの更に他の例を示す図である。
【図６】本開示のシートの例を示す図であり、（Ａ）は第２の主面側からみたときの第２部について説明する図であり、（Ｂ）は第２の主面側からみたときの第１部について説明する図である。
【図７】第１実施形態に係る画像領域抽出装置の概略構成を示す図である。
【図８】図７に示す画像領域抽出装置による画像領域抽出処理を示すフローチャートである。
【図９】所定の個数の非固定領域画像及び撮像指示を表示する図７に示す画像領域抽出装置を示す図である。
【図１０】Ｓ１０３の処理のより詳細な処理を示すフローチャートである。
【図１１】Ｓ１０４の処理のより詳細な処理を示すフローチャートである。
【図１２】Ｓ１０４の処理を説明するための図であり、（Ａ）はＳ１０４の処理を説明するための第１の図であり、（Ｂ）はＳ１０４の処理を説明するための第２の図であり、（Ｃ）はＳ１０４の処理を説明するための第３の図である。
【図１３】第２実施形態に係る画像領域抽出システムを示す図である。
【図１４】図１３に示す端末装置の概略構成を示す図である。
【図１５】図１３に示すサーバの概略構成を示す図である。
【図１６】図１３に示す画像領域抽出システムによる画像領域抽出処理を示すフローチャートである。
【図１７】（Ａ）はＳ４０１の処理のより詳細な処理を示すフローチャートであり、（Ｂ）はＳ４０３の処理のより詳細な処理を示すフローチャートである。
【図１８】クラックに貼り付けられたシートを示す図である。
【図１９】（Ａ）は第１変形例に係るシートを示す図であり、（Ｂ）は第２変形例に係るシートを示す図である。
【図２０】実施形態に係る画像領域抽出方法と比較される周波数解析による画像領域抽出方法を説明するための図であり、（Ａ）はクラックが発生した壁面にシートを貼付けたときに撮影されたモアレ領域の例を示し、（Ｂ）はクラック幅が拡大した後に撮影されたモアレ領域の例を示し、図２０（Ｃ）は周波数解析法におけるスキャンの例を示し、図２０（Ｄ）は周波数解析法における非固定領域の判定例を示す。
【図２１】実施形態に係る画像領域抽出方法と周波数解析法との比較を示す図であり、（Ａ）はクラックが発生した壁面にシートを貼付けたときに撮影されたモアレ領域の例を示し、（Ｂ）はクラック幅が拡大した後に撮影されたモアレ領域の例を示し、（Ｃ）はクラック幅に変化がないときに撮影されたモアレ領域の例を示し、（Ｄ）は実施形態に係る画像領域抽出方法が非固定領域を判定できるのに対し、周波数解析法非固定領域を判定できない第１のサンプルシートを示し、（Ｅ）は実施形態に係る画像領域抽出方法が非固定領域を判定できるのに対し、周波数解析法非固定領域を判定できない第２のサンプルシートを示す。
【発明を実施するための形態】
【００２３】
以下、図面を参照しつつ、本発明の実施形態について説明する。ただし、本発明は図面又は以下に記載される実施形態には限定されないことを理解されたい。
【００２４】
以下、本発明の例示の態様について説明するが、本発明は以下の態様に限定されず、特許請求の範囲の精神及び範囲から逸脱しない任意の改変が本発明に包含されることが意図される。
【００２５】
＜シート＞
図１は、本開示のシートの例を示す図であり、図１（Ａ）は使用前の変形していない状態のシート、図１（Ｂ）は使用時に変形した状態のシートを示している。本発明の一態様は、第１の主面Ｓ１、及び該第１の主面Ｓ１に対向する第２の主面Ｓ２を有するシート１００を提供する。以下、第１の主面Ｓ１は表面と称されることがあり、第２の主面Ｓ２は接着面と称されることがある。シート１００は、第１パターン（図示せず）を有する第１部１０１、第２パターン（図示せず）を有する第２部１０２、及び該第１部１０１と該第２部１０２との間に存在する第３部１０３を有する。一態様において、第１部１０１は、第２部１０２よりも大きい伸長性を有する。本開示で、「伸長性が大きい」とは、たとえば弾性率（ヤング率）の数値が小さいこと、同じ力で引っ張ったときの伸びの数値が大きいこと、破断に至るまでの伸びの数値が大きいことを意味する（必ずしもすべての数値条件を満たす必要はない）。一態様において、第１部１０１はシート１００の第１の主面Ｓ１を含み、第２部１０２はシート１００の第２の主面Ｓ２を含む。一態様において、第１パターンは第２パターンを介して視認可能である。一態様において、本開示のシートは、第１の主面Ｓ１の一部の領域が対象物に固定され得るように構成される。
【００２６】
第１部１０１は第１パターンを有し、第２部１０２は第２パターンを有する。本開示のシート１００は、第１パターンと第２パターンとが発生するモアレが検出可能であるように構成されている。より具体的には、第１パターンは第２パターンを介して視認可能である。ここで第１パターンが第２パターンを介して視認可能であるとは、第２の主面Ｓ２側からシート１００を観察したときに、第１パターンが第２パターンと共に視覚化できることを意味する。視覚化の手段は任意に選択でき、例えば各種カメラを用いた可視光下でパターン撮影を例示できる。第１パターンが第２パターンを介して視認可能であるような構成によれば、第１パターンと第２パターンとの干渉によって発生するモアレもまた視認可能である。従って、本開示のシートによれば、対象物の変形を簡便に評価することが可能であり、例えば、対象物に近接する必要がなく遠方からの評価が可能である。
【００２７】
第１パターンが第２パターンを介して視認可能であるための好ましい態様において、本開示のシートの、第１パターンから第２パターンを介してシート表面に至るまでの部位は、典型的には明澄な材料で構成されている。本開示で、「明澄な材料」とは、３００〜８３０ｎｍ波長光における全光線透過率が３０％以上であること、より好ましくは８０％以上であることを意味する。上記全光線透過率は、ヘイズメーター（例えば、ＮＤＨ２０００ヘイズメーター（日本電色工業（株）製  東京都文京区））にて測定される値である。
【００２８】
本開示のシートの主要な特徴の１つは、第１部の変位によって第１パターンが歪むこと、及び、第２部が有する第２パターンは、上記第１パターンの歪みの影響を実質的に受けないこと、すなわち実質的に歪まないことである。シートは、対象物に固定されたときに該対象物の変位を第１のパターイメージの歪みによって検出できる。そしてこの第１パターンの歪みと、歪んでいない第２パターンとによって生じるモアレを検出及び解析することにより、該対象物に生じた変位を評価できる。
【００２９】
第１部１０１が、第２部１０２よりも大きい伸長性を有することで、第１部１０１が変形追従部（すなわち、シートが対象物に固定された状態で対象物に変位が生じた際に、該対象物の変位に追従して変位する能力を有する（図１（Ｂ）に示すように）部位）として機能すると共に、第２部１０２が非変形追従部（すなわち、第１部に変位が生じた際に該変位に実質的に追従せず、従って実質的に変位が生じない（図１（Ｂ）に示すように）部位）として機能することができる。典型的な態様において、第３部１０３は、変形緩衝部（すなわち、上記第２部１０２が上記第１部１０１の変位によって実質的に変位しないために十分な変形緩衝能力を有する（図１（Ｂ）に示すように）部位）として機能できる。
【００３０】
一態様において、本開示のシートは、第１の主面Ｓ１のうち一部の領域（本開示で、固定領域ともいう。）が対象物に固定され、他の領域（本開示で、非固定領域ともいう。）が対象物に固定されないような態様で、対象物に対して固定されることが予定される。一態様において、固定領域は、シートを、被着体としての対象物（例えば当該シートを建造物変形評価用に用いる場合の建造物）に接着させるのに十分な粘着性を備えている。一方、非固定領域は、対象物への接着を可能にするのに十分な粘着性を備えている必要はない。すなわち、本開示のシートの第１の主面は、対象物に対して、実質的に固定領域のみで接着されていてよい。
【００３１】
図２は、本開示のシートの第１の主面における固定領域及び非固定領域の例を示す図である。図２（Ａ）は実施形態に係るシートにおける固定領域及び非固定領域の配置を示し、図２（Ｂ）は第１変形例に係るシートにおける固定領域及び非固定領域の配置を示し、図２（Ｃ）は第２変形例に係るシートにおける固定領域及び非固定領域の配置を示す。
【００３２】
例示の態様において、第１固定領域１０１ａ、第２固定領域１０１ｂ及び非固定領域１０１ｃの配置としては、以下に限定されないが例えば、図２（Ａ）に示すような第１の主面の幅Ｗ方向中央部に高さＨ）方向全体に亘って延びる矩形形状の非固定領域１０１ｃとこれを挟むように離隔して配置される第１固定領域１０１ａ及び第２固定領域１０１ｂが、幅Ｗ方向に広がっていく変位の測定（たとえば線状の損傷やひび割れの幅が広がっていく変位の測定）には適している。また、図２（Ｂ）に示すような幅Ｗ方向及び高さＨ方向の中央部に配置された矩形形状の非固定領域１０１ｃとこれを囲む固定領域１０１ａ、図２（Ｃ）に示すような幅Ｗ方向及び高さＨ方向の中央部に配置された楕円形状の非固定領域１０１ｃとこれを囲む固定領域１０１ａ等の配置は、幅Ｗと高さＨの方向に放射状に広がっていく変位の測定（たとえば点状の損傷やひび割れが放射状に広がっていく変位の測定）には適している。
【００３３】
本開示では、特に断らない限り、図２（Ａ）に示すように、第１固定領域１０１ａはシート１００の一端に配置され、第２固定領域１０１ｂはシート１００の他端に配置され、非固定領域１０１ｃが第１固定領域１０１ａと第２固定領域１０１ｂとの間に配置される。
【００３４】
図３〜５は、本開示のシートの例を示す図である。一態様において、第１固定領域１０１ａ、第２固定領域１０１ｂと非固定領域１０１ｃとの組合せは、高粘着面Ｓ１１１ａ、Ｓ１１１ｂと低粘着面Ｓ１１１ｃとの組合せ、高粘着面Ｓ１２１ａ、Ｓ１２１ｂと低粘着面１２１ｃとの組合せ、高粘着面Ｓ１３１ａ、Ｓ１３１ｂと低粘着面Ｓ１３１ｃとの組合せ、等である。これらの態様では、シート１００の第１の主面Ｓ１は、高粘着面と低粘着面とで構成されることになる。本開示で、「高粘着面」とは、シートを被着体に貼りつけた際の接着力が「低粘着面」よりも強いこと意味する。接着力が強いとは、たとえばシートの被着体に対する剥離力（９０°ピール等）、剪断力、保持力の数値が高いことを意味する（すべての数値が大きいことは必須ではない）。「低粘着面」は、いわゆる接着力が実質的にない面であってもよい。なお図３〜５では、第１固定領域１０１ａ、第２固定領域１０１ｂ及び非固定領域１０１ｃが図２（Ａ）に示すように配置される場合について例示している。
【００３５】
一態様において、図３に示すように、高粘着面Ｓ１１１ａ、Ｓ１１１ｂは第１部１０１の低粘着性の本体１１１上に配置された高粘着部（第１粘着部１１１ａ、及び該第１粘着部１１１ａから離隔して配置された第２粘着部１１１ｂとして）によって与えられ、低粘着面Ｓ１１１ｃは本体１１１が露出している部位によって与えられる。
【００３６】
図３の他の一態様において、図４に示すように、高粘着面Ｓ１２１ａ、Ｓ１２１ｂは第１部１０１の高粘着性の本体１２１が露出している部位によって与えられ、低粘着面Ｓ１２１ｃは本体１２１上に配置された低粘着部１２１ｃによって与えられる。
【００３７】
図３及び４の他の一態様において、図５に示すように、高粘着面Ｓ１３１ａ、Ｓ１３１ｂは第１部１０１の本体１３１（高粘着性でも低粘着性でもよい）上に配置された高粘着部（第１粘着部１３１ａ、及び該第１粘着部１３１ａから離隔して配置された第２粘着部１３１ｂとして）によって与えられ、低粘着面Ｓ１３１ｃは該本体１３１上に配置された低粘着部１３１ｃによって与えられる。
【００３８】
上記低粘着性の本体は、例えば、高伸長性層として後述するような材料で構成できる。
【００３９】
上記高粘着部は、感圧接着剤で構成されていることができ、例えば単層フィルム状の感圧接着フィルム、２つの感圧接着層を有する両面接着シート等が挙げられる。感圧接着剤は、例えば、粘着性ポリマーを含有する塗膜として形成できる。好ましい接着剤は、粘着性ポリマーと粘着性ポリマーとを架橋する架橋剤とを含有する。本開示で、粘着性ポリマーとは、常温（約２５℃）で粘着性を示すポリマーである。感圧接着剤としては、アクリル系、ゴム系ポリウレタン、エポキシ系等が挙げられる。
【００４０】
上記高粘着性の本体は、上記粘着性ポリマーで構成できる。
【００４１】
上記低粘着部は、高伸長性層として後述するような材料であって被着体に対する実質的な接着力がない材料で構成されていてもよいし、フッ素系樹脂のように被着体に対する滑り容易性を向上する材料で構成されていてもよいし、上記高粘着部と同等の材料であって接着力が高粘着部よりも弱い材料であってもよい。
【００４２】
本開示のシートの第１部、第２部及び第３部は、単層又は複数層で構成されていることができる。単層が適切な厚み及び物性を有していることによって、第１部、第２部及び第３部が構成されていてもよい。また、第１部、第２部及び第３部が、材質、厚み等が互いに異なる複数層で構成されていてもよい。また、更に別の例示の態様においては、第１部、第２部及び第３部が、第１部及び第２部として機能する層と、第３部として機能する層との２層で構成されることができ、又は、第１部として機能する層と、第２部及び第３部として機能する層との２層で構成されることができる。以上のように、シートの層構成は、第１部、第２部及び第３部として機能する部位を有することを条件として任意に設計可能である。
【００４３】
第１パターン及び第２パターンとしては、モアレにより変位を評価するのに用いられる従来公知の任意パターンを採用できる。パターンイメージの詳細、例えばパターンイメージ形状の種類、ピッチ等は、目的の変位の量等に応じて適宜選択できる。パターンイメージ形状としては、グリッド、千鳥模様、ドット、複数の平行な直線等を例示できる。例示の態様において、第１及び第２パターンが、それぞれピッチ約０．４ｍｍ〜約０．８ｍｍ程度を有するグリッドであることができる。例えば、本開示のシートの好適な用途である建造物の壁面等の変形評価においては、例えば０．１〜２．０ｍｍ程度の変位の検出が所望される場合が多い。このような用途に適したパターンイメージの形状及びピッチの例としては、例えば、一辺が１００ｍｍ程度のサイズのシートにおいて、ピッチ約０．３ｍｍ〜約１．０ｍｍ程度が挙げられる。
【００４４】
好ましい態様において、第１部の変位量１００％に対する第２部の変位量の割合は、約３０％以下、約２０％以下、約１０％以下、又は約０％であることができる。上記割合は、後述する変位の測定方法において、シートの少なくとも一部が破断するまでのいずれかの任意の時点で満足されればよい。しかし好ましい態様においては、第１部の変位が０ｍｍである状態から該変位を増大させたときに、例えばシートの少なくとも一部が破断するまでの全時点で、上記割合が満足される。
【００４５】
また、好ましい態様において、第１部を１０ｍｍ変位させたときに、第２部が示す変位は、約３ｍｍ以下、又は約２．０ｍｍ以下、又は約１．０ｍｍ以下、又は約０ｍｍであることができる。
【００４６】
但し上記の変位は、各々、以下の方法又はこれと同等であることが当業者に理解される方法で測定される。
【００４７】
図６は、本開示のシートの例を示す図である。図６（Ａ）は第２の主面側からみたときの第２部について説明する図であり、図６（Ｂ）は第２の主面側からみたときの第１部について説明する図である。
【００４８】
第１部１０１は、第１パターンＰ１０１が例えば印刷によって形成される。第２部１０２は、第２パターンＰ１０２が例えば印刷によって形成されると共に、第２パターンＰ１０２の周囲に白色領域Ｗ１０２を介して黒色領域Ｂ１０２が例えば印刷によって形成される。白色領域Ｗ１０２及び黒色領域Ｂ１０２により形成されるガードバンドは、第１パターンＰ１０１及び第２パターンＰ１０２が重ねられたことによりモアレが発生するモアレ領域を識別するときに使用される。
【００４９】
一態様において、シートは、対象物の変位（クラック等）の幅を当該ゲージとの照合により計測するために種々の線幅を表示するゲージ、シートを対象物に対して位置合わせするためのマークを表示するマーカー、及び寸法目盛を表示するルーラーから選ばれる１つ以上の目印を更に有してよい。これら目印は、シートの、第１部、第２部又は第３部に、例えば印刷により配置されてよい。
【００５０】
好ましい態様において、第１部は、第１パターンを有する高伸長性層を含む。好ましい態様において、第２部は、第２パターンを有する低伸長性層を含む。好ましい態様において、第３部は、粘弾性層を含む。好ましい態様において、シートは、高伸長性層、低伸長性層及び粘弾性層からなる。
【００５１】
典型的な態様において、高伸長性層と粘弾性層とは、高伸長性層自体の粘着性によって、若しくは粘弾性層自体の粘着性によって、若しくは別途の接着層によって、又はこれらの２つ以上の組合せによって、互いに接着されている。また典型的な態様において、粘弾性層と低伸長性層とは、粘弾性層自体の粘着性によって、若しくは低伸長性層自体の粘着性によって、若しくは別途の接着層によって、又はこれらの組合せによって、互いに接着されている。
【００５２】
＜高伸長性層＞
高伸長性層は、第１部として機能するのに十分な伸長性を有する任意の材料で構成されていることができる。特定の態様において、パターンイメージの視認可能性の観点から高伸長性層は明澄である。好ましい態様において、高伸長性層は、ポリスチレン、ポリオレフィン、オレフィンコポリマー、ビニルコポリマー、（メタ）アクリルポリマー、（メタ）アクリルコポリマー及びポリウレタンからなる群から選択される少なくとも１種のポリマーを含む。なお本開示で、「（メタ）アクリル」とは、アクリル又はメタクリルを意味する。
【００５３】
好ましい態様において、高伸長性層は、（Ａ）カルボキシ基含有（メタ）アクリルコポリマーと、（Ｂ）アミノ基含有（メタ）アクリルコポリマーとを（Ａ）：（Ｂ）質量比約１０：９０〜約９０：１０で含む。この場合、高伸長性層は優れた耐候性、及び被着体への追従性を有することができる。
【００５４】
好ましい態様において、（Ａ）カルボキシ基含有（メタ）アクリルコポリマーは、主成分であるモノエチレン性不飽和モノマーと、カルボキシル基を含有する不飽和モノマーとを含む組成物を共重合させて得たものであることができる。
【００５５】
好ましい態様において、（Ｂ）アミノ基含有（メタ）アクリルコポリマーは、主成分であるモノエチレン性不飽和モノマーと、アミノ基を含有する不飽和モノマーとを含む組成物を共重合させて得たものであることができる。
【００５６】
（Ａ）カルボキシ基含有（メタ）アクリルコポリマー及び（Ｂ）アミノ基含有（メタ）アクリルコポリマーのそれぞれにおいて、上記共重合は、ラジカル重合により行なうことが好ましい。この場合、溶液重合、懸濁重合、乳化重合、塊状重合等の公知の重合方法を用いることができる。開始剤としては過酸化ベンゾイル、ラウロイルパーオキサイド、ビス（４−ターシャリーブチルシクロヘキシル）パーオキシジカーボネートのような有機過酸化物や、２、２’−アゾビスイソブチロニトリル、２、２’−アゾビス−２−メチルブチロニトリル、４、４’−アゾビスー４−シアノバレリアン酸、２、２’−アゾビス（２−メチルプロピオン酸）ジメチル、アゾビス２、４−ジメチルバレロ二トリル（AVN）等のアゾ系重合開始剤が用いられる。この開始剤の使用量としては、モノマー混合物１００質量部あたり、約０.０５質量部〜約５質量部とするのがよい。
【００５７】
高伸長性層において、（Ａ）カルボキシル基含有（メタ）アクリルコポリマー及び（Ｂ）アミノ基含有（メタ）アクリルコポリマーの一方のＴｇを０℃以上とし、かつ他方のＴｇを０℃以下とすることが好ましい。高いＴｇを有する（メタ）アクリルコポリマーは高伸長性層に高い引張強さを与える一方、低いＴｇを有する(メタ)アクリルコポリマーは高伸長性層の伸び特性を良好にするからである。
【００５８】
好ましい態様において、（Ａ）カルボキシ基含有（メタ）アクリルコポリマー及び（Ｂ）アミノ基含有（メタ）アクリルコポリマーの重量平均分子量は、それぞれ、約１０、０００以上、又は約５０、０００以上、又は約１００、０００以上であり、また約１０、０００、０００以下、又は約１、０００、０００以下である。
【００５９】
好ましい態様において、上記モノエチレン性不飽和モノマーとしては、一般式ＣＨ2＝ＣＲ1ＣＯＯＲ2（式中、Ｒ1は水素又はメチル基であり、Ｒ2は直鎖又は分岐状のアルキル基、フェニル基、アルコキシアルキル基、又はフェノキシアルキル基である）で表されるモノマー、スチレン、α−メチルスチレン、ビニルトルエン等の芳香族ビニルモノマー、酢酸ビニル等のビニルエステル類が挙げられる。このようなモノマーとしては、例えば、メチル(メタ)アクリレート、エチル(メタ)アクリレート、ｎ−ブチル(メタ)アクリレート、イソアミル（メタ）アクリレート、ｎ−ヘキシル（メタ）アクリレート、２−エチルヘキシル（メタ）アクリレート、イソオクチル（メタ）アクリレート、イソノニル（メタ）アクリレート、デシル（メタ）アクリレート、ドデシル（メタ）アクリレート、フェノキシエチル（メタ）アクリレート等のフェノキシアルキル(メタ)アクリレート、メトキシプロピル（メタ）アクリレートや２−メトキシブチル（メタ）アクリレート等のアルコキシアルキル（メタ）アクリレート等が挙げられる。モノエチレン性不飽和モノマーは、所望のガラス転移温度、引張強さ、及び伸び特性を得るために、その目的に応じて１種又は２種以上を使用できる。
【００６０】
例えば、メチルメタクリレート（ＭＭＡ）、ｎ−ブチルメタクリレート（ＢＭＡ）等、単体で重合した場合のホモポリマーが０℃以上のＴｇを有するような（メタ）アクリル系モノマーを主成分として共重合させることにより、容易にＴｇが０℃以上の（メタ）アクリルコポリマーを得ることができる。
【００６１】
また、エチルアクリレート（ＥＡ）、ｎ−ブチルアクリレート（ＢＡ）、２−エチルヘキシルアクリレート（２ＥＨＡ）等、単体で重合した場合のホモポリマーが０℃以下のＴｇを有するような成分を主成分として共重合させることにより、容易にＴｇが０℃以下の（メタ）アクリルコポリマーを得ることができる。
【００６２】
ここで、（Ａ）カルボキシル基含有(メタ)アクリルコポリマー、及び（Ｂ）アミノ基含有(メタ)アクリルコポリマーのガラス転移温度（Ｔｇ）は、各ポリマーがｎ種類のモノマーから共重合されているとして、ＦＯＸの式（下式）より求められる。
１／Ｔｇ＝Ｘ1／（Ｔｇ1＋２７３．１５）＋Ｘ2／（Ｔｇ2＋２７３．１５）＋・・・
＋Ｘn／（Ｔｇn＋２７３．１５）
（Ｔｇ1：成分１のホモポリマーのガラス転移点
Ｔｇ2：成分２のホモポリマーのガラス転移点
Ｘ1:重合の際に添加した成分１のモノマーの重量分率
Ｘ2：重合の際に添加した成分２のモノマーの重量分率
Ｘ1＋Ｘ2+・・・＋Ｘn＝１）
【００６３】
上記モノエチレン性不飽和モノマーと共重合してカルボキシル基含有(メタ)アクリルコポリマーを構成する、カルボキシル基を含有した不飽和モノマーとしては、アクリル酸、メタクリル酸、マレイン酸、イタコン酸、ω−カルボキシポリカプロラクトンモノアクリレート、フタル酸モノヒドロキシエチル（メタ）アクリレート、β−カルボキシエチルアクリレート、２−（メタ）アクリロイルオキシエチルコハク酸、２−（メタ）アクリロイルオキシエチルヘキサヒドロフタル酸等が挙げられる。
【００６４】
カルボキシル基含有（メタ）アクリルコポリマーは、モノエチレン性不飽和モノマーを主成分として（具体的には約８０質量部〜約９５．５質量部の範囲で）、かつカルボキシル基を含有する不飽和モノマーを約０．５質量部〜約２０質量部の範囲で共重合して得るのが好ましい。
【００６５】
上記モノエチレン性不飽和モノマーと共重合してアミノ基含有（メタ）アクリルコポリマーを構成する、アミノ基を含有する不飽和モノマーとしては、Ｎ、Ｎ−ジメチルアミノエチルアクリレート（ＤＭＡＥＡ）、Ｎ、Ｎ−ジメチルアミノエチルメタクリレート（ＤＭＡＥＭＡ）等のジアルキルアミノアルキル（メタ）アクリレート、Ｎ、Ｎ−ジメチルアミノプロピルアクリルアミド（ＤＭＡＰＡＡ）、Ｎ、Ｎ−ジメチルアミノプロピルメタクリルアミド等のジアルキルアミノアルキル（メタ）アクリルアミド、及びビニルイミダゾール等の含窒素複素環を有するビニルモノマーに代表される３級アミノ基を有するモノマー等が挙げられる。
【００６６】
アミノ基含有(メタ)アクリル系ポリマーは、モノエチレン性不飽和モノマーを主成分として（具体的には約８０質量部〜約９５．５質量部の範囲で）、かつアミノ基を含有する不飽和モノマーを約０．５質量部〜約２０質量部の範囲で共重合して得るのが好ましい。
【００６７】
上記のようにカルボキシル基含有(メタ)アクリルコポリマーと、アミノ基含有(メタ)アクリルコポリマーとをそれぞれ別々に重合した後、通常のフィルム成形方法により、高伸長性層を形成できる。例えば、これらのポリマーの溶液を混合し、ライナーの剥離面上に塗布し、乾燥・固化させることにより高伸長性層を形成することができる。塗布装置としては、通常のコータ、例えば、バーコータ、ナイフコータ、ロールコータ、ダイコータ等を用いることができる。固化操作は、揮発性溶媒を含む塗料の場合の乾燥操作や、溶融した樹脂成分を冷却する操作と同様である。また、高伸長性層は、溶融押出成形法によっても形成することができる。
【００６８】
高伸長性層の形成において、カルボキシル基含有(メタ)アクリルコポリマーと、アミノ基含有(メタ)アクリルコポリマーとの配合比を変化することにより、所望の引張強さ及び伸び特性を有する高伸長性層を得ることができる。具体的には、カルボキシル基含有(メタ)アクリルコポリマーとアミノ基含有(メタ)アクリルコポリマーのうち、Ｔｇが相対的に高いポリマー：Ｔｇが相対的に低いポリマーの配合比を、約１０：９０〜約９０：１０、又は約２０：８０〜約９０：１０、又は約３０：７０〜約９０：１０とすることができる。好ましい態様においては、Ｔｇが相対的に高いコポリマーの量を、Ｔｇが相対的に低いコポリマーの量よりも多くする。
【００６９】
好ましい態様において、高伸長性層は、上記（Ａ）カルボキシ基含有（メタ）アクリルコポリマー及び上記（Ｂ）アミノ基含有（メタ）アクリルコポリマーに加え、（Ｃ）カルボキシル基と反応する官能基を有する架橋剤を更に含む。この架橋剤は、（Ａ）カルボキシ基含有（メタ）アクリルコポリマーと（Ｂ）アミノ基含有（メタ）アクリルコポリマーとの架橋に寄与する。このような架橋により網目構造が形成され、高伸長性層の低温における伸び特性が更に向上する。有利には、架橋剤は、カルボキシル基と反応することのできる官能基を有し、具体的にはビスアミド系架橋剤（例えば、３Ｍ製ＲＤ１０５４）、アジリジン系架橋剤（例えば、日本触媒製ケミタイトＰＺ３３、アビシア製ＮｅｏＣｒｙｌＣＸ−１００）、カルボジイミド系架橋剤（例えば、日清紡製カルボジライトＶ−０３、Ｖ−０５、Ｖ−０７）、エポキシ系架橋剤（例えば綜研化学製Ｅ−ＡＸ、Ｅ−５ＸＭ、Ｅ５Ｃ）等を使用できる。架橋剤の使用量は、（Ａ）カルボキシル基含有（メタ）アクリルコポリマー１００質量部に対して約０．１〜約５質量部である。
【００７０】
高伸長性層は、所望に応じて更に各種の添加剤を１種以上含んでもよい。添加剤としては、酸化防止剤、紫外線吸収剤、光安定剤、可塑剤、滑材、帯電防止剤、難燃剤、充填剤等を例示できる。
【００７１】
好ましい態様において、高伸長性層は、例えば数ｍｍ程度の変位に対して破断しないような強度を有している。この観点において、高伸長性層は、引張強度約１００ＭＰａ以下を有することが好ましい。またこの観点において、高伸長性層の厚みは、例えば、約１０μｍ〜約１５０μｍ、又は約３０μｍ〜約１００μｍであってよい。
【００７２】
好ましい態様において、高伸長性層は、第１及び第２の主面を有し、該第１の主面上に第１パターンを有する。第１パターンは例えば印刷層である。例えば、前述したようなポリマーから形成した伸長性フィルムの表面に所望パターンを直接印刷する方法、支持体上に形成した所望パターンを有する印刷層を該伸長性フィルム上に転写する方法、等によって、印刷層を有する高伸長性層を形成できる。印刷は、インクジェット、グラビア、凸版、フレキソ、スクリーン、静電複写、昇華放熱転写等で行うことができる。例示の態様においては、上記第１の主面が粘弾性層と対向するように高伸長性層と粘弾性層とが互いに固定されている。この場合、第１パターンが粘弾性層によって保護され、損傷しにくい点で有利である。別の例示の態様においては、上記第２の主面が粘弾性層と対向してもよい。この場合、第１パターンがコート層等により保護されてもよい。
【００７３】
＜低伸長性層＞
低伸長性層は、高伸長性層よりも伸長性が小さい層である。低伸長性層は、第２部として機能するのに十分な低伸長性を有する任意の材料で構成されていることができる。パターンイメージの視認可能性の観点から低伸長性層は典型的には明澄である。
【００７４】
好ましい態様において、低伸長性層は、ポリエステル、ポリオレフィン及びポリビニルからなる群から選択される少なくとも１種のポリマーを含む。低伸長性層は、典型的には硬質フィルムであることができる。硬質フィルムは市販で入手可能なものであってもよく、市販品としては例えばポリエステル、ポリオレフィン、ポリビニル、ポリスチレン、ポリアクリレート、ポリメタクリレート、ポリイミド、ポリウレタン、ポリイミド、ポリアミド、ポリスルホン、ポリエーテル、ポリアセタール、ポリフェニレン、ポリエポキシ樹脂、フェノール樹脂、ナイロン及びポリカーボネート等が挙げられる。
【００７５】
典型的な態様において、低伸長性層は、使用時に環境中に露出する場合がある。従って低伸長性層は優れた耐候性を有していることが好ましい。この観点から好ましい低伸長性層としては、ポリエステルが挙げられる。
【００７６】
典型的な態様において、低伸長性層は、高伸長性層に変位が生じたときに実質的に変位しないために十分な強度を有している。この観点において、低伸長性層は、引張強度約５０ＭＰａ以上を有することが好ましい。またこの観点において、低伸長性層の厚みは、例えば、約１０μｍ〜約１５０μｍ、又は約５０μｍ〜約１００μｍであってよい。
【００７７】
好ましい態様において、低伸長性層は、第１及び第２の主面を有し、該第１の主面上に第２パターンを有する。第２パターンは例えば印刷層である。例えば、非伸長性フィルムの表面に所望パターンを直接印刷する方法、支持体上に形成した所望パターンを有する印刷層を非伸長性フィルム上に転写する方法、等によって、印刷層を有する低伸長性層を形成できる。印刷は、インクジェット、グラビア、凸版、フレキソ、スクリーン、静電複写、昇華放熱転写等で行うことができる。例示の態様においては、上記第１の主面が粘弾性層と対向するように低伸長性層と粘弾性層とが互いに固定されている。この場合、第２パターンが粘弾性層によって保護され、損傷しにくい点で有利である。別の例示の態様においては、上記第２の主面が粘弾性層と対向してもよい。この場合、第２パターンがコート層等により保護されてもよい。
【００７８】
＜粘弾性層＞
粘弾性層は、第１部の変位を弾性変形作用により減衰させる能力を有し、第２部が第１部の変位によって実質的に変位しないために十分な変形緩衝能力を有する任意の粘弾性材料で構成されていることができる。パターンイメージの視認可能性の観点から粘弾性層は典型的には明澄である。
【００７９】
好ましい態様において、粘弾性層は、ポリオレフィン及びオレフィンコポリマー（以下、纏めてオレフィン（コ）ポリマーともいう。）、ビニルコポリマー（例えば塩化ビニルポリマー等）、（メタ）アクリルポリマー及び（メタ）アクリルコポリマー（以下、纏めて（メタ）アクリル（コ）ポリマーともいう。）（例えば、ポリ（メタ）アクリレート、アクリル酸及びアクリルアミドの共重合体等）、ポリウレタン（例えばポリエーテルウレタン、ポリエステルウレタン等）、並びにシリコーンポリマー（例えばメチルビニルシリコーン等）からなる群から選択される少なくとも１種のポリマーを含む。また、粘弾性層はゴム層であってもよく、ゴムとしてはブタン系ゴム、ブチル系ゴム等が挙げられる。
【００８０】
（メタ）アクリル（コ）ポリマーの原料モノマーとしては、例えば、炭素数が１４から２２の直鎖又は分岐のアルキル基を有する（メタ）アクリルモノマー（以下、Ｃ１４−２２（メタ）アクリルモノマーともいう。）、例えばイソステアリル（メタ）アクリレート、セチル（メタ）アクリレート、ｎ−ステアリル（メタ）アクリレート、ｎ−ベヘニル（メタ）アクリレート、イソミリスチル（メタ）アクリレート、イソパルミチル（メタ）アクリレート等が挙げられる。
【００８１】
原料モノマーは、不飽和モノカルボン酸（例えば、アクリル酸、メタクリル酸等）、不飽和ジカルボン酸（例えば、マレイン酸、イタコン酸等）、ω−カルボキシポリカプロラクトンモノアクリレート、フタル酸モノヒドロキシエチル（メタ）アクリレート、β−カルボキシエチルアクリレート、２−（メタ）アクリロイルオキシエチルコハク酸、又は２−（メタ）アクリロイルオキシエチルヘキサヒドロフタル酸等のカルボキシル基含有モノマーを含んでもよい。
【００８２】
例えば、原料モノマーが、Ｃ１４−２２（メタ）アクリルモノマーとカルボキシル基含有モノマーとを含む場合、配合は、Ｃ１４−２２モノマー約９２質量％〜約９５質量％に対し、カルボキシル基含有モノマーは約５質量％〜約８質量％であることができる。カルボキシル基含有モノマーの量が約５質量％以上である場合、粘弾性層のせん断貯蔵弾性率Ｇ’が大きく、凝集力が良好である点で有利である。また、損失正接ｔａｎδが大きく変位緩衝性能において有利である。一方、カルボキシル基含有モノマーの量が約８質量％以下である場合、変位緩衝性能の温度依存性が小さい点で有利である。
【００８３】
オレフィン（コ）ポリマーとしては、飽和ポリオレフィン、すなわち、実質的に炭素間二重結合及び三重結合を持たないポリオレフィンが挙げられる。例えば、飽和ポリオレフィンに含まれる炭素間結合のうち、９０％以上が単結合であることが好ましい。飽和ポリオレフィンの例としては、ポリエチレン、ポリブテン、ポリプロピレン、ポリイソブチレン、ポリα−オレフィン、エチレン・プロピレン共重合体、エチレン・α−オレフィン共重合体、プロピレン・α−オレフィン共重合体、水添ポリブタジエン等が挙げられる。これらは単独で用いても、２種以上で組み合わせて用いてもよい。
【００８４】
飽和ポリオレフィンには非結晶性のポリマーを用いることもできる。非結晶性のポリマーとは、結晶化度が極めて低いか、結晶化状態になり得ないポリマーを意図する。非結晶性のポリマーでは、ガラス転移温度は測定されるが、融点は測定されない。非結晶性のポリマーを用いた場合、粘弾性層の０℃〜４０℃でのせん断貯蔵弾性率Ｇ’を、例えば１．５×１０4〜５．０×１０6パスカル（Ｐａ）に調整して、良好な変形緩衝性能を得ると共に粘弾性層と他の層とを良好に接着することができる。
【００８５】
飽和ポリオレフィンブロックと、芳香族ビニルモノマーブロックとを含むブロック共重合体（以下、ブロック共重合体）もまた使用でき、これは、実質的に炭素間二重結合及び三重結合を持たないポリオレフィンからなるブロックと、芳香族ビニルモノマーからなるブロックとを含む。飽和ポリオレフィンブロックに含まれる炭素間結合のうち、９０％以上が単結合であることが好ましい。芳香族ビニルモノマーとしては、スチレン、ｐ−メチルスチレン、α−メチルスチレン、インデン等が挙げられる。これらは単独で用いても、２種以上で組み合わせて用いてもよい。ブロック共重合体としては、たとえば、スチレン−エチレン−プロピレン−スチレンブロック共重合体、スチレン−エチレン−プロピレンブロック共重合体、スチレン−エチレン−ブチレン−スチレンブロック共重合体等が挙げられる。
【００８６】
飽和ポリオレフィンブロックは非結晶性のものを用いることもできる。非結晶性のものを用いた場合、粘弾性層の０〜４０℃でのせん断貯蔵弾性率Ｇ’を、例えば約１．５×１０4〜約５．０×１０6パスカル（Ｐａ）に調整して、良好な変形緩衝性能を得ると共に粘弾性層と他の部材とを良好に接着することができる。
【００８７】
飽和ポリオレフィン、及び／又はブロック共重合体の配合比は、（メタ）アクリル（コ）モノマー１００質量部に対して、約２質量部〜約４０質量部とすることができる。約２質量部以上である場合温度依存性の小さい粘弾性層が得られ、約４０質量部以下である場合耐候性が良好であり、長期の使用の信頼性、及び他の部材の接着性において有利である。
【００８８】
（メタ）アクリル（コ）ポリマーの重量平均分子量は、約１０、０００〜約２、０００、０００の範囲とすることができる。上記範囲は、弾性率が高く、長期使用の信頼性において有利である粘弾性層を得る点で有利である。
【００８９】
粘弾性層は、上記のようなポリマーに加え、粘着付与樹脂、例えばロジン系樹脂、変性ロジン系樹脂（水素添加ロジン系樹脂、不均化ロジン樹脂、重合ロジン系樹脂等）、テルペン樹脂、テルペンフェノール樹脂、芳香族変性テルペン樹脂、Ｃ5系及びＣ9系の石油樹脂、クマロン樹脂等を含んでもよい。また、増粘剤、チキソトロープ剤、増量剤、充填剤等の通常用いられる添加剤を含んでもよい。
【００９０】
粘弾性層に使用できる粘弾性材料の例のより詳細な例は、例えば特開２００９−２４９４８５号公報、特開２００６−２８２２４号公報等に記載されている。
【００９１】
粘弾性層が薄すぎる場合には、高伸長性層の変形によって低伸長性層も変形する場合があり、一方厚すぎる場合には、第１パターンと第２パターンとが観測角によってずれる場合があり、従ってモアレの視認性が低下する場合がある。好ましい態様において、粘弾性層の厚みは、約１００μｍ〜約１．５ｍｍ、又は約５００μｍ〜約１．０ｍｍである。
【００９２】
＜シートの特性＞
好ましい態様において、シートを引張試験に供したときに、高伸長性層は、引張強度０．５ＭＰａ以上１００ＭＰａ以下及び伸び３％以上２００％以下を示す。好ましい態様において、シートを引張試験に供したときに、低伸長性層は、引張強度５０ＭＰａ以上３５０ＭＰａ以下及び伸び１％以上２００％以下を示す。好ましい態様において、シートを引張試験に供したときに、粘弾性層は、引張強度０．０１ＭＰａ以上１００ＭＰａ以下及び伸び１０％以上３０００％以下を示す。
【００９３】
引張強度及び伸びは、ＪＩＳＫ６２５１（２０１０年度版・ＩＳＯ３７）に規定される方法に準拠し、以下の条件で測定される。
・測定サンプル形状：ＪＩＳＫ６２５１に記載される「ダンベル状３号形」
・引張速度：３００ｍｍ／ｍｉｎ
・測定温度：２３±１℃
引張強度Ｔ（単位：ＭＰａ）は、測定サンプルの各層の破断に至るまでの最大引張力Ｆ(単位：Ｎ)と、測定サンプルの各層の断面積Ａ(単位：ｍｍ2)とを測定し、以下の式から求める。
Ｔ＝Ｆ／Ａ
伸びＥ（単位：％）は、測定サンプルにおける各層の破断時の標線間距離Ｌ１(単位：ｍｍ)と、標線間距離Ｌ０（２５ｍｍ）とを測定し、以下の式から求める。
Ｅ＝（Ｌ１−Ｌ０）／Ｌ０×１００
【００９４】
本開示のシートを上記引張試験に供した際には、通常、各層が順次破断し、例示の態様では低伸長性層、粘弾性層及び高伸長性層の順に破断する。従って上記方法にて各層の引張強度及び伸びとして測定される値には他の層による寄与が含まれることになるが、本開示ではそのような測定値をシートにおける各層の引張強度及び伸びとして規定する。
【００９５】
好ましい態様において、シートの高伸長性層のみをシート面内方向に引っ張ったときに、高伸長性層の破断が低伸長性層の破断よりも先に生じる。このことは、図５を参照して上記した変位の測定方法において、高伸長性層の破断が低伸長性層の破断よりも先に生じることによって確認できる。
【００９６】
また、好ましい態様において、高伸長性層の上記破断時において、低伸長性層の伸びは、高伸長性層の伸びに対して０〜３５％である。この比は、高伸長性層の破断時における、高伸長性層の伸びと低伸長性層の伸びとの比として評価できる。このような比は、モアレによる対象物の変位量の精度良い評価に寄与する。
【００９７】
好ましい態様において、第１部又は高伸長性層のヤング率は、約０．５ＧＰａ以下、又は約０．１ＧＰａ以下、又は約０．０５ＧＰａ以下である。また、好ましい態様において、第２部又は低伸長性層のヤング率は、約１．０ＧＰａ以上、又は約１．５ＧＰａ以上、又は約２．０ＧＰａ以上である。なお上記ヤング率は、幅１０ｍｍに切り出したサンプルを、チャック間距離１００ｍｍで引張試験機にセットし、１ｍｍｐｍのスピードで鉛直方向に引張り、ひずみ％で０．０５〜０．２５％となる部分のＳ−Ｓカーブの傾きよりヤング率を算出することで得られる値である。
【００９８】
固定領域、すなわち高粘着面の好ましい接着特性としては、ＪＩＳＫ５６００（ＩＳＯ  ２４０９）に準拠した、モルタル板に対する接着力が、剪断方向で約１．０Ｎ／ｃｍ2以上であることが挙げられる。このような接着特性は、例えば対象物がコンクリート、金属等である場合にシートを対象物に良好に固定できる点で有利である。
【００９９】
好ましい態様において、本開示のシートは、第１及び第２パターン、並びに、ゲージ、マーカー及びルーラーを除く実質的に全ての部位が明澄な材料で構成されている。
【０１００】
第１の主面において、固定領域の面積に対する非固定領域の面積の比（例えば、高粘着面の面積Ａに対する低粘着面の面積Ｂの比Ｂ／Ａ）は、モアレの視認性を良好にする観点から、好ましくは約１％以上、又は約５％以上であり、対象物に対する良好な固定の観点から、好ましくは約５００％以下、又は約３００％以下であるとよい。
【０１０１】
第１の主面において、第１の主面の面積に対する固定領域の面積（例えば、第１の主面の面積Ｃに対する、高粘着部の面積（例えば第１粘着部及び第２粘着部の合計面積）Ｄの比Ｄ／Ｃ）の比は、対象物に対する良好な固定の観点から、好ましくは約１０％以上、又は約３０％以上であり、モアレの視認性を良好にする観点から、好ましくは約９９％以下、又は約９５％以下であるとよい。
【０１０２】
また、低粘着面のアスペクト比は、モアレによる変位評価の際に、二次元平面でｘ軸とｙ軸の両方向で同量に近い空間周波数解析を行えるようにするための観点から、約０．５〜約２．０、又は約０．７〜約１．３、又は約０．９〜約１．１であるとよい。
【０１０３】
本開示のシートのサイズは、被着体や測定対象の損傷に応じて貼り易さも鑑みて適宜設計できる。例示の態様において、第１の主面の総面積（すなわち固定領域と非固定領域との合計面積）は、約１ｃｍ2〜約１０００ｃｍ2、又は約２ｃｍ2〜約５００ｃｍ2が建造物のコンクリートのひび割れを測定する用途には適している。
【０１０４】
なお、本開示の一態様に係るシートは、固定領域及び非固定領域を有するが、本開示は、第１の主面の実質的に全面が固定領域である他は前述の本開示のシートと同様であるようなシートも包含し、特に、このようなシートにおいてゲージ、マーカー、及びルーラーから選ばれる１つ以上の目印を設ける態様も包含する。
【０１０５】
＜第１実施形態に係る画像領域抽出装置の構成及び機能＞
図７は、第１実施形態に係る画像領域抽出装置の概略構成を示す図である。
【０１０６】
画像領域抽出装置１は、例えば多機能携帯電話（いわゆる「スマートフォン」）であり、無線通信ネットワークへの接続、近距離無線通信、所定のアプリケーションプログラムの実行等を可能とする。そのために、画像領域抽出装置１は、端末通信部１１と、近距離通信部１２と、操作部１３と、ディスプレイ１４と、端末記憶部１５と、撮像部１６と、測位システム部１７と、時計部１８と、端末処理部２０とを有する。なお、画像領域抽出装置１は、通信機能と撮像装置を有する通信装置であればよく、例えば携帯端末（Personal Digital Assistant、 PDA）、携帯ゲーム機、携帯音楽プレーヤ、タブレットＰＣ等の端末装置でもよい。
【０１０７】
端末通信部１１は、主に２．１ＧＨｚ帯を感受帯域とするアンテナを含む、通信インターフェース回路を有し、画像領域抽出装置１を通信ネットワークに接続する。端末通信部１１は、不図示の基地局により割り当てられるチャネルを介して、基地局との間でＣＤＭＡ（Code Division Multiple Access）方式等による無線信号回線を確立し、基地局との間で無線通信を行う。そして、端末通信部１１は、基地局から受信したデータを端末処理部２０に供給する。また、端末通信部１１は、端末処理部２０から供給されたデータを基地局に送信する。なお、端末通信部１１は、ＨＴＴＰ（Hypertext Transfer Protocol）等のプロトコルに従って不図示のサーバとの間のデータ通信を行う。また、端末通信部１１は、主に２．４ＧＨｚ帯を感受帯域とするアンテナを含む通信インターフェース回路を有し、基地局を介さずにＷｉ−Ｆｉ（登録商標）等の無線ＬＡＮの基地局を介して無線通信を行う。
【０１０８】
近距離通信部１２は、Ｂｌｕｅｔｏｏｔｈ  ＬＥ（Low Energy）（登録商標）等の通信方式に従った近距離無線通信を行うためのインターフェース回路を有し、他の端末装置等との間で近距離無線通信を行う。そして、近距離通信部１２は、他の端末装置等から受信したデータを端末処理部２０に供給する。また、近距離通信部１２は、端末処理部２０から供給されたデータを他の端末装置等に送信する。なお、近距離通信部１２は、Ｂｌｕｅｔｏｏｔｈ（登録商標）、ＲＦＩＤ（Radio Frequency IDentification）、ＺｉｇＢｅｅ等の他の通信方式に従った近距離無線通信を行うためのインターフェース回路を有してもよい。
【０１０９】
操作部１３は、画像領域抽出装置１の操作が可能であればどのようなデバイスでもよく、例えば、キーパッド等である。ユーザは、このデバイスを用いて、文字、数字等を入力することができる。操作部１３は、ユーザの指示を受け付け、受け付けた指示に対応する信号を発生し、端末処理部２０に出力する。また、操作部１３は、タップ、ドラッグ、フリック等の接触により、ユーザの指示を受け付け、受け付けた指示に対応する信号を発生し、端末処理部２０に出力する。
【０１１０】
ディスプレイ１４は、動画像、静止画像等の出力が可能であればどのようなデバイスでもよい。ディスプレイ１４は、端末処理部２０から供給される動画像データに応じた動画像、静止画像データに応じた静止画像等を表示する。
【０１１１】
端末記憶部１５は、例えば、半導体メモリを有する。端末記憶部１５は、端末処理部２０での処理に用いられるドライバプログラム、オペレーティングシステムプログラム、アプリケーションプログラム、データ等を記憶する。例えば、端末記憶部１５は、ドライバプログラムとして、端末通信部１１を制御する携帯電話通信デバイスドライバプログラム、無線ＬＡＮ通信デバイスドライバプログラムを記憶する。また、端末記憶部１５は、近距離通信部１２を制御する近距離無線通信デバイスドライバプログラム、操作部１３を制御する入力デバイスドライバプログラム、ディスプレイ１４を制御する出力デバイスドライバプログラム等を記憶する。また、端末記憶部１５は、アプリケーションプログラムとして、ウェブページの取得及び表示を行うウェブブラウザプログラム、及び画像領域抽出処理を実行する画像領域抽出処理プログラムを含む種々のプログラムを記憶する。コンピュータプログラムは、例えばフラッシュメモリを含む半導体メモリ等のコンピュータ読み取り可能な可搬型記録媒体から、公知のセットアッププログラム等を用いて端末記憶部１５にインストールされてもよい。
【０１１２】
また、端末記憶部１５は、データとして、撮像処理及び画像領域抽出処理で使用される情報及びデータ、並びに撮像処理及び画像領域抽出処理で求められたデータを記憶する。さらに、端末記憶部１５は、所定の処理に係る一時的なデータを一時的に記憶してもよい。一態様では、端末記憶部１５は、画像領域抽出処理で使用される基準縦横比１５１を記憶する。基準縦横比１５１は、第１固定領域１０１ａの幅Ｗ１を第１固定領域１０１ａの高さＨで除した第１基準縦横比ｋ1（＝Ｗ１／Ｈ）、及び第２固定領域１０１ｂの幅Ｗ２を第２固定領域１０１ｂの高さＨで除した第２基準縦横比ｋ2（＝Ｗ２／Ｈ）を含む。
【０１１３】
撮像部１６は、アレイ状に配置された撮像素子と、撮像素子を駆動する素子駆動部とを有する。撮像素子は、電荷結合素子（ＣＣＤ）型センサ、又はアクティブピクセルセンサ（ＡＰＳ）型センサと、カラーフィルタとを有し、入射した光に応じた電荷を蓄積する。素子駆動部は、カラーフィルタを介して撮像素子に光が入射することで、撮像素子のそれぞれで蓄積された電荷を電気信号に変換して端末処理部２０に出力する。
【０１１４】
測位システム部１７は、端末処理部２０からの指示に従って、画像領域抽出装置１が存在する位置を測定する。測位システム部１７は、主に１．５ＧＨｚ帯を感受帯域とするアンテナを含む、ＧＰＳ回路を有し、不図示のＧＰＳ衛星からＧＰＳ信号を受信する。測位システム部１７は、そのＧＰＳ信号をデコードし、時刻情報等を取得する。測位システム部１７は、時刻情報等に基づいてＧＰＳ衛星から測位システム部１７までの擬似距離を計算し、その擬似距離を代入して得られる連立方程式を解くことにより、画像領域抽出装置１が存在する位置（緯度及び経度等）を測定し、位置情報として出力する。
【０１１５】
時計部１８は、クロック回路等で構成され、日時を計数し、各種情報の更新処理等のための日にち情報及び時刻情報を生成する。
【０１１６】
端末処理部２０は、一又は複数個のプロセッサ及びその周辺回路を有する。端末処理部２０は、画像領域抽出装置１の全体的な動作を統括的に制御するものであり、例えば、ＣＰＵ（Central Processing Unit）である。端末処理部２０は、画像領域抽出装置１の各種処理が端末記憶部１５に記憶されているプログラム、操作部１３の操作等に応じて適切な手順で実行されるように、端末通信部１１、近距離通信部１２等の動作を制御する。端末処理部２０は、端末記憶部１５に記憶されているプログラム（ドライバプログラム、オペレーティングシステムプログラム、アプリケーションプログラム等）に基づいて処理を実行する。また、端末処理部２０は、複数のプログラム（アプリケーションプログラム等）を並列に実行することができる。
【０１１７】
端末処理部２０は、撮像指示部２１と、シート画像データ取得部２２と、モアレ領域抽出部２３と、非固定領域抽出部２４と、非固定領域出力部２５と、撮像処理終了判定部２６と、非固定領域選択指示部２７と、非固定領域画像決定部２８とを有する。モアレ領域抽出部２３は、画像変換部２３１と、ローパスフィルタ部２３２と、エッジ強調処理部２３３と、ポリゴン抽出部２３４と、候補ポリゴン決定部２３５と、モアレ領域判定部２３６と、パラメータ変更部２３７と、モアレ領域決定部２３８とを有する。非固定領域抽出部２４は、頂点抽出部２４１と、モアレ領域高さ決定部２４２と、固定領域幅決定部２４３と、非固定領域決定部２４４とを有する。端末処理部２０が有するこれらの各部は、端末処理部２０が有するプロセッサ上で実行されるプログラムによって実装される機能モジュールである。あるいは、端末処理部２０が有するこれらの各部は、独立した集積回路、マイクロプロセッサ、又はファームウェアとして画像領域抽出装置１に実装されてもよい。
【０１１８】
＜第１実施形態に係る画像領域抽出装置による画像領域抽出処理＞
図８は、画像領域抽出装置１による画像領域抽出処理を示すフローチャートである。
【０１１９】
まず、撮像指示部２１は、不図示のオペレータによる画像領域抽出プログラムの立上げ処理に応じて、不図示のオペレータにシートの撮像を指示する撮像指示を示す撮像指示信号をディスプレイ１４に出力する（Ｓ１０１）。一態様では、撮像指示は、文字列「シートを撮影して下さい」を含む。ディスプレイ１４は、撮像指示信号が入力されると、撮像指示信号に対応する撮像指示に含まれる文字列を表示する。
【０１２０】
次いで、シート画像データ取得部２２は、不図示のオペレータによる画像領域抽出装置１を使用したシートの撮像動作に応じて、撮像部１６を介してシートを含むシート画像を示すシート画像データを取得する（Ｓ１０２）。シート画像データに対応するシート画像は、第１パターンＰ１０１と第２パターンＰ１０２が重ねられたことによりモアレが発生するモアレ領域を含むように撮像されたカラー画像である。
【０１２１】
次いで、モアレ領域抽出部２３は、Ｓ１０２の処理で取得されたシート画像データに対応するシート画像から、第１パターンＰ１０１と第２パターンＰ１０２が重ねられたことによりモアレが発生するモアレ領域を抽出する（Ｓ１０３）。
【０１２２】
次いで、非固定領域抽出部２４は、Ｓ１０３の処理で抽出されたモアレ領域から、粘着部が配置されている固定領域の大きさに基づいて、粘着部が配置されていない非固定領域を抽出する（Ｓ１０４）。
【０１２３】
次いで、非固定領域出力部２５は、Ｓ１０４の処理で抽出された非固定領域を含む非固定領域画像を示す非固定領域画像データを、ディスプレイ１４に表示する表示位置を示す表示位置情報と共に、ディスプレイ１４に出力する（Ｓ１０５）。ディスプレイ１４は、非固定領域画像データに対応する非固定領域画像を、表示位置情報に対応する表示位置に表示する。
【０１２４】
次いで、撮像処理終了判定部２６は、撮像回数が所定の回数に達したか否かを判定する（Ｓ１０６）。撮像処理終了判定部２６によって撮像回数が所定の回数に達していないと判定される（Ｓ１０６−ＮＯ）と、処理はＳ１０１に戻る。以降、撮像処理終了判定部２６によって撮像回数が所定の回数に達したと判定される（Ｓ１０６−ＹＥＳ）まで、Ｓ１０１〜Ｓ１０６の処理が繰り返される。
【０１２５】
撮像処理終了判定部２６によって撮像回数が所定の回数に達したと判定される（Ｓ１０６−ＹＥＳ）と、非固定領域選択指示部２７は、所定の回数に亘って撮像されたシート画像から抽出された非固定領域画像の何れを選択するかを示す選択指示信号を出力する（Ｓ１０７）。一態様では、撮像指示は、文字列「画像を１つ選択して下さい」を含む。
【０１２６】
図９は、所定の個数の非固定領域画像及び撮像指示を表示する画像領域抽出装置１を示す図である。図９に示す例では、６個の非固定領域画像が表示される。
【０１２７】
非固定領域画像１４１〜非固定領域画像１４６のそれぞれは、ディスプレイ１４に選択可能に表示される。また、文字列「画像を１つ選択して下さい」を含む撮像指示１４７は、非固定領域画像１４１〜非固定領域画像１４６と共にディスプレイ１４に表示される。不図示のオペレータは、ディスプレイ１４の非固定領域画像１４１〜非固定領域画像１４６の何れか１つが表示された領域をタッチする等して、非固定領域画像１４１〜非固定領域画像１４６の何れか１つを選択する。非固定領域画像決定部２８は、不図示のオペレータが選択した非固定領域画像を使用する非固定領域画像に決定する（Ｓ１０８）。
【０１２８】
非固定領域画像決定部２８によって決定された非固定領域画像は、端末記憶部１５に記憶されるアプリケーションプログラムに基づいて端末処理部２０によって実行される種々の処理に使用される。例えば、非固定領域画像は、シートが貼付けされた壁面に発生したクラックに重ねて貼付けられるとき、非固定領域に発生するモアレの変化に基づいて、シートが貼付けされたクラックのクラック幅の変化量を推定するクラック幅変化量推定処理に使用される。
【０１２９】
図１０は、Ｓ１０３の処理のより詳細な処理を示すフローチャートである。
【０１３０】
まず、画像変換部２３１は、シート画像データ取得部２２によって取得されたカラー画像であるシート画像をカラー画像からグレースケール画像に変換する（Ｓ２０１）。次いで、ローパスフィルタ部２３２は、シート画像に含まれる小さなエッジを除去するために、Ｓ２０１の処理でグレースケール画像に変換されたシート画像にローパスフィルタリング処理を実行する（Ｓ２０２）。Ｓ２０２のローパスフィルタリング処理により、シート画像は、ノイズが除去された画像となる。
【０１３１】
次いで、エッジ強調処理部２３３は、Ｓ２０２の処理でローパスフィルタリングされたシート画像にエッチを強調するエッジ強調処理を実行する（Ｓ２０３）。一態様では、エッジ強調処理部２３３は、エッチ強調フィルタ（edge enhancement filter）を含む。次いで、ポリゴン抽出部２３４は、Ｓ２０３の処理でエッジが強調されたシート画像に輪郭抽出処理（contour process）を実行して、シート画像に含まれる複数のポリゴンを抽出する（Ｓ２０４）。
【０１３２】
次いで、候補ポリゴン決定部２３５は、Ｓ２０４の処理で抽出された複数のポリゴンからモアレ領域候補となる候補ポリゴンを決定する（Ｓ２０５）。候補ポリゴン決定部２３５は、Ｓ２０４の処理で抽出された四角形のポリゴンの中で、シート画像の面積に対するポリゴンの面積の比率が基準面積比に最も近いポリゴンを、候補ポリゴンを決定する。基準面積比は、非固定領域１０１ｃが伸縮していない状態における非固定領域１０１ｃの面積のシート画像１００の面積に対する面積比である。
【０１３３】
次いで、モアレ領域判定部２３６は、Ｓ２０５の処理で決定された候補ポリゴンに対応する領域がモアレ領域であるか否かを判定する（Ｓ２０６）。モアレ領域判定部２３６は、Ｓ２０５の処理で決定された候補ポリゴンの縦横比が所定のしきい値範囲内にあるとき、Ｓ２０５の処理で決定された候補ポリゴンに対応する領域がモアレ領域であると判定する。また、モアレ領域判定部２３６は、Ｓ２０５の処理で決定された候補ポリゴンの縦横比が所定のしきい値範囲外であるとき、Ｓ２０５の処理で決定された候補ポリゴンに対応する領域がモアレ領域ではないと判定する。
【０１３４】
一態様では、しきい値範囲は、非固定領域１０１ｃが伸縮していない状態におけるシート１００のモアレ領域と黒色領域Ｂ１０２との間に配置される白色領域Ｗ１０２の縦横比を中心値とすることができる。しきい値範囲の中心値を白色領域Ｗ１０２の縦横比とすることで、モアレ領域判定部２３６は、白色領域Ｗ１０２の縦横比に対応する四角形のポリゴンの領域をモアレ領域と判定することができる。
【０１３５】
モアレ領域判定部２３６によって候補ポリゴンに対応する領域がモアレ領域ではないと判定されると、パラメータ変更部２３７は、Ｓ２０５及びＳ２０６の処理で使用されるパラメータを変更し（Ｓ２０７）、処理はＳ２０４に戻る。パラメータ変更部２３７は、Ｓ２０５の処理で使用されるしきい値面積比、及びＳ２０６の処理で使用されるしきい値範囲の少なくとも一方を変更する。
【０１３６】
モアレ領域判定部２３６によって候補ポリゴンに対応する領域がモアレ領域であると判定されると、モアレ領域決定部２３８は、候補ポリゴンに対応する領域をモアレ領域に決定する（Ｓ２０８）。
【０１３７】
図１１はＳ１０４の処理のより詳細な処理を示すフローチャートであり、図１２はＳ１０４の処理を説明するための図である。図１２（Ａ）はＳ１０４の処理を説明するための第１の図であり、図１２（Ｂ）はＳ１０４の処理を説明するための第２の図であり、図１２（Ｃ）はＳ１０４の処理を説明するための第３の図である。
【０１３８】
まず、頂点抽出部２４１は、Ｓ１０３の処理で抽出された四角形のモアレ領域１２００の４つの頂点の座標を抽出する（Ｓ３０１）。
【０１３９】
次いで、モアレ領域高さ決定部２４２は、Ｓ３０１の処理で抽出されたモアレ領域１２００の４つの頂点の座標から抽出される長辺の長さをモアレ領域１２００の幅Ｗに決定すると共に、短辺の長さをモアレ領域１２００の高さＨに決定する（Ｓ３０２）。図１２（Ａ）に示すように、モアレ領域１２００の高さＨは、モアレ領域１２００の幅Ｗよりも短い。
【０１４０】
次いで、固定領域幅決定部２４３は、Ｓ３０２の処理で決定されたモアレ領域１２００の高さＨと、端末記憶部１５に記憶される基準縦横比１５１とから固定領域の幅を決定する（Ｓ３０３）。固定領域幅決定部２４３は、モアレ領域１２００の高さＨと、第１基準縦横比ｋ1（＝Ｗ１／Ｈ）とから、第１固定領域１２０１の幅Ｗ１（＝ｋ1×Ｈ）を決定する。また、固定領域幅決定部２４３は、モアレ領域１２００の高さＨと、第２基準縦横比ｋ2（＝Ｗ２／Ｈ）とから、第２固定領域１２０２の幅Ｗ２（＝ｋ2×Ｈ）を決定する。
【０１４１】
そして、非固定領域決定部２４４は、Ｓ３０１の処理で抽出されたモアレ領域１２００の４つ頂点の座標、及びＳ３０３の処理で決定された固定領域の幅から、非固定領域を決定する（Ｓ３０４）。非固定領域決定部２４４は、モアレ領域１２００の長辺の両端に位置する２つの頂点の座標Ｖ１１及びＶ１２と、第１固定領域１２０１の幅Ｗ１及び第２固定領域１２０２の幅Ｗ２とから非固定領域１２０３の２つの頂点Ｖ２１及びＶ２２を決定する。また、非固定領域決定部２４４は、モアレ領域１２００の長辺の両端に位置する２つの頂点の座標Ｖ１３及びＶ１４と、第１固定領域１２０１の幅Ｗ１及び第２固定領域１２０２の幅Ｗ２とから非固定領域１２０３の２つの頂点Ｖ２３及びＶ２４を決定する。
【０１４２】
＜第２実施形態に係る画像領域抽出システムの構成及び機能＞
図１３は、第２実施形態に係る画像領域抽出システムを示す図である。
【０１４３】
画像領域抽出システム２では、不図示の交換機が、広域通信回線網である通信ネットワーク６を介して相互に接続される。交換機は、ある地域をカバーする無線通信ネットワークを通信ネットワーク６に接続する。無線通信ネットワークには、地域内をカバーする無線ゾーンを管理するように基地局５が配置される。基地局５は、基地局５が属する不図示の無線ネットワーク制御装置を介して交換機に接続される。そして、その地域内の端末装置３が、サーバ４等と通信を行う際に、端末装置３は、基地局５を介して交換機に接続され、さらに通信ネットワーク６に接続される。
【０１４４】
また、通信ネットワーク６は、イーサネット（登録商標）等の有線ＬＡＮにより、不図示のゲートウェイを介して、インタネット７と接続される。インタネット７には、サーバ４が更に接続される。
【０１４５】
＜第２実施形態に係る端末装置の構成及び機能＞
図１４は、端末装置３の概略構成を示す図である。
【０１４６】
端末装置３は、画像領域抽出装置１と同様に、例えば多機能携帯電話（いわゆる「スマートフォン」）であり、無線通信ネットワークへの接続、近距離無線通信、所定のアプリケーションプログラムの実行等を可能とする。端末装置３は、端末記憶部１９及び端末処理部３０を端末記憶部１５及び端末処理部２０の代わりに有することが画像領域抽出装置１と相違する。端末記憶部１９及び端末処理部３０以外の端末装置３の構成要素の構成及び機能は、同一符号が付された画像領域抽出装置１の構成要素の構成及び機能と同一なので、ここでは詳細な説明は省略する。端末記憶部１９は、基準縦横比１５１を記憶しないこと以外は、端末記憶部１５と同様の構成及び機能を有するので、ここでは詳細な説明は省略する。
【０１４７】
端末処理部３０は、一又は複数個のプロセッサ及びその周辺回路を有する。端末処理部３０は、端末装置３の全体的な動作を統括的に制御するものであり、例えば、ＣＰＵである。端末処理部３０は、端末装置３の各種処理が端末記憶部１９に記憶されているプログラム、及び操作部１３の操作等に応じて適切な手順で実行されるように、端末通信部１１、近距離通信部１２等の動作を制御する。端末処理部３０は、端末記憶部１９に記憶されているプログラム（ドライバプログラム、オペレーティングシステムプログラム、アプリケーションプログラム等）に基づいて処理を実行する。また、端末処理部３０は、複数のプログラム（アプリケーションプログラム等）を並列に実行することができる。
【０１４８】
端末処理部３０は、シート撮像処理部３１と、シート撮像データ送信部３２と、非固定領域出力部３３と、非固定領域選択指示部３４と、非固定領域画像決定部３５とを有する。シート撮像処理部３１は、撮像指示部３１１と、シート画像データ取得部３１２と、撮像処理終了判定部３１３とを有する。端末処理部３０が有するこれらの各部は、端末処理部３０が有するプロセッサ上で実行されるプログラムによって実装される機能モジュールである。あるいは、端末処理部３０が有するこれらの各部は、独立した集積回路、マイクロプロセッサ、又はファームウェアとして端末装置３に実装されてもよい。
【０１４９】
＜第２実施形態に係るサーバの構成及び機能＞
図１５は、第２実施形態に係る画像領域抽出装置の一態様であるサーバ４の概略構成を示す図である。
【０１５０】
サーバ４は、種々の情報処理が可能な情報処理装置であり、サーバ通信部４１と、サーバ記憶部４２と、サーバ出力部４３と、サーバ入力部４４と、サーバ処理部５０とを備える。
【０１５１】
サーバ通信部４１は、イーサネット（登録商標）などの有線の通信インターフェース回路を有する。サーバ通信部４１は、不図示のＬＡＮ及びインタネット７を介して端末装置３等と通信を行う。そして、サーバ通信部４１は、端末装置３等から受信したデータをサーバ処理部５０に供給する。また、サーバ通信部４１は、サーバ処理部５０から供給されたデータを端末装置３等に送信する。
【０１５２】
サーバ記憶部４２は、例えば、半導体メモリ、磁気ディスク装置、及び光ディスク装置のうちの少なくとも一つを有する。サーバ記憶部４２は、サーバ処理部５０による処理に用いられるドライバプログラム、オペレーティングシステムプログラム、アプリケーションプログラム、データ等を記憶する。例えば、サーバ記憶部４２は、ドライバプログラムとして、サーバ通信部４１を制御する通信デバイスドライバプログラム等を記憶する。また、サーバ記憶部４２は、オペレーティングシステムプログラムとして、ＴＣＰ／ＩＰ等の通信方式による接続制御プログラム等を記憶する。また、サーバ記憶部４２は、アプリケーションプログラムとして、各種データの送受信を行うデータ処理プログラム、及び画像領域抽出処理を実行する画像領域抽出処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部４２にインストールされてもよい。
【０１５３】
また、サーバ記憶部４２は、データとして、画像領域抽出処理で使用される情報及びデータ、並びに画像領域抽出処理で求められたデータを記憶する。さらに、サーバ記憶部４２は、所定の処理に係る一時的なデータを一時的に記憶してもよい。一態様では、サーバ記憶部４２は、端末記憶部１５と同様に、画像領域抽出処理で使用される基準縦横比１５１を記憶する。基準縦横比１５１は、第１固定領域１０１ａの幅Ｗ１を第１固定領域１０１ａの高さＨで除した第１基準縦横比ｋ1（＝Ｗ１／Ｈ）、及び第２固定領域１０１ｂの幅Ｗ２を第２固定領域１０１ｂの高さＨで除した第２基準縦横比ｋ2（＝Ｗ２／Ｈ）を含む。
【０１５４】
サーバ出力部４３は、動画像、静止画像等の出力が可能であればどのようなデバイスでもよく、例えば、タッチパネル式の表示装置、液晶ディスプレイ、有機ＥＬディスプレイ等である。サーバ出力部４３は、サーバ処理部５０から供給される動画像データに応じた動画像、静止画像データに応じた静止画像等を表示する。
【０１５５】
サーバ入力部４４は、サーバ４への入力が可能であればどのようなデバイスでもよく、例えば、タッチパネル式の入力装置、キーパッド等である。ユーザは、このデバイスを用いて、文字及び数字等を入力することができる。サーバ入力部４４は、ユーザの指示を受け付け、受け付けた指示に対応する信号を発生し、サーバ処理部５０に出力する。
【０１５６】
サーバ処理部５０は、一又は複数個のプロセッサ及びその周辺回路を有する。サーバ処理部５０は、サーバ４の全体的な動作を統括的に制御するものであり、例えば、ＣＰＵである。サーバ処理部５０は、サーバ４の各種処理がサーバ記憶部４２に記憶されているプログラム等に応じて適切な手順で実行されるように、サーバ通信部４１等の動作を制御する。サーバ処理部５０は、サーバ記憶部４２に記憶されているプログラム（ドライバプログラム、オペレーティングシステムプログラム、アプリケーションプログラム等）に基づいて処理を実行する。また、サーバ処理部５０は、複数のプログラム（アプリケーションプログラム等）を並列に実行することができる。
【０１５７】
サーバ処理部５０は、非固定領域抽出処理部５１と、伸縮画像データ送信部５２とを有する。非固定領域抽出処理部５１は、シート画像データ取得部５１１と、モアレ領域抽出部５１２と、非固定領域抽出部５１３とを有する。モアレ領域抽出部５１２は、画像変換部５２１と、ローパスフィルタ部５２２と、エッジ強調処理部５２３と、ポリゴン抽出部５２４と、候補ポリゴン決定部５２５と、モアレ領域判定部５２６と、パラメータ変更部５２７と、モアレ領域決定部５２８とを有する。非固定領域抽出部５１３は、頂点抽出部５３１と、モアレ領域高さ決定部５３２と、固定領域幅決定部５３３と、非固定領域決定部５３４とを有する。サーバ処理部５０が有するこれらの各部は、サーバ処理部５０が有するプロセッサ上で実行されるプログラムによって実装される機能モジュールである。あるいは、サーバ処理部５０が有するこれらの各部は、独立した集積回路、マイクロプロセッサ、又はファームウェアとしてサーバ４に実装されてもよい。
【０１５８】
＜第２実施形態に係る画像領域抽出システムによる画像領域抽出処理＞
図１６は、画像領域抽出システム２による画像領域抽出処理を示すフローチャートである。
【０１５９】
まず、シート撮像処理部３１は、所定の回数に亘ってシートを撮像する撮像処理を実行する（Ｓ４０１）。次いで、シート撮像データ送信部３２は、Ｓ４０１の処理で撮像されたシートを含む所定の個数のシート画像を示すシート画像データをサーバ４に送信する（Ｓ４０２）。
【０１６０】
次いで、非固定領域抽出処理部５１は、受信したシート画像データに対応する所定の個数のシート画像に含まれるシートから非固定領域を抽出する非固定領域抽出処理を所定の回数に亘って実行する（Ｓ４０３）。次いで、伸縮画像データ送信部５２は、Ｓ４０３の処理で抽出された非固定領域を含む非固定領域画像を示す非固定領域画像データを端末装置３に送信する（Ｓ４０４）。
【０１６１】
次いで、非固定領域出力部３３は、受信した非固定領域画像データに含まれる所定の個数の伸縮画像を、ディスプレイ１４に表示する表示位置を示す表示位置情報と共に、ディスプレイ１４に出力する（Ｓ４０５）。ディスプレイ１４は、所定の個数の非固定領域画像を、表示位置情報に対応する表示位置に表示する。
【０１６２】
次いで、非固定領域選択指示部３４は、所定の個数の非固定領域画像の何れを選択するかを示す選択指示信号を出力する（Ｓ４０６）。一態様では、撮像指示は、文字列「画像を１つ選択して下さい」を含む。そして、非固定領域画像決定部３５は、不図示のオペレータが選択した非固定領域画像を使用する非固定領域画像に決定する（Ｓ４０７）。
【０１６３】
図１７（Ａ）はＳ４０１の処理のより詳細な処理を示すフローチャートであり、図１７（Ｂ）はＳ４０３の処理のより詳細な処理を示すフローチャートである。
【０１６４】
Ｓ４０１において、まず、撮像指示部３１１は、不図示のオペレータによる画像領域抽出プログラムの立上げ処理に応じて、不図示のオペレータにシートの撮像を指示する撮像指示を示す撮像指示信号をディスプレイ１４に出力する（Ｓ５０１）。一態様では、撮像指示は、文字列「シートを撮影して下さい」を含む。ディスプレイ１４は、撮像指示信号が入力されると、撮像指示信号に対応する撮像指示に含まれる文字列を表示する。
【０１６５】
次いで、シート画像データ取得部３１２は、不図示のオペレータによる端末装置３を使用したシートの撮像動作に応じて、撮像部１６を介してシートを含むシート画像を示すシート画像データを取得する（Ｓ５０２）。シート画像データに対応するシート画像は、第１パターンＰ１０１と第２パターンＰ１０２が重ねられたことによりモアレが発生するモアレ領域を含むように撮像されたカラー画像である。
【０１６６】
次いで、撮像処理終了判定部３１３は、撮像回数が所定の回数に達したか否かを判定する（Ｓ５０３）。撮像処理終了判定部３１３によって撮像回数が所定の回数に達していないと判定される（Ｓ５０３−ＮＯ）と、処理はＳ５０１に戻る。以降、撮像処理終了判定部３１３によって撮像回数が所定の回数に達したと判定される（Ｓ５０３−ＹＥＳ）まで、Ｓ５０１〜Ｓ５０３の処理が繰り返される。撮像処理終了判定部３１３によって撮像回数が所定の回数に達したと判定される（Ｓ５０３−ＹＥＳ）と、処理は終了する。
【０１６７】
Ｓ４０３において、まず、シート画像データ取得部５１１は、受信したシート画像データを取得する（Ｓ６０１）。シート画像データは、所定の個数のシート画像に対応する。
【０１６８】
次いで、モアレ領域抽出部５１２は、Ｓ６０１の処理で取得されたシート画像データに対応する所定の個数のシート画像の何れか１つから、第１パターンＰ１０１と第２パターンＰ１０２が重ねられたことによりモアレが発生するモアレ領域を抽出する（Ｓ６０２）。画像変換部５２１〜モアレ領域決定部５２８によるＳ６０２のより詳細な処理は、Ｓ１０３の処理と同様なので、ここでは詳細な説明は省略する。
【０１６９】
次いで、非固定領域抽出部５１３は、Ｓ６０２の処理で抽出されたモアレ領域から、粘着部が配置されている固定領域の大きさに基づいて、粘着部が配置されていない非固定領域を抽出する（Ｓ６０３）。頂点抽出部５３１〜非固定領域決定部５３４によるＳ６０３のより詳細な処理は、Ｓ１０４の処理と同様なので、ここでは詳細な説明は省略する。
【０１７０】
次いで、抽出処理終了判定部５１４は、非固定領域抽出処理の実行回数が所定の回数に達したか否かを判定する（Ｓ６０４）。抽出処理終了判定部５１４によって非固定領域抽出処理の実行回数が所定の回数に達していないと判定される（Ｓ６０４−ＮＯ）と、処理はＳ６０２に戻る。以降、抽出処理終了判定部５１４によって非固定領域抽出処理の実行回数が所定の回数に達したと判定される（Ｓ６０４−ＹＥＳ）まで、Ｓ６０２〜Ｓ６０４の処理が繰り返される。抽出処理終了判定部５１４によって非固定領域抽出処理の実行回数が所定の回数に達したと判定される（Ｓ６０４−ＹＥＳ）と、処理は終了する。
【０１７１】
＜実施形態に係る画像領域抽出方法の作用効果＞
図１８に示すように、クラック１１０に貼り付けられたシート１００の非固定領域１０１ｃがクラック１１０のクラック幅が大きくなるに従って伸長する。一方、第１固定領域１０１ａ及び第２固定領域１０１ｂはクラック１１０のクラック幅の大きさにかかわらず、大きさは変化しない。実施形態に係る画像領域抽出方法では、第１固定領域１０１ａ及び第２固定領域１０１ｂの大きさがクラック１１０のクラック幅の大きさに変化に応じて変化しないことを利用して、簡易な演算に基づいて非固定領域１０１ｃを抽出することができる。
【０１７２】
＜実施形態に係る画像領域抽出方法の変形例＞
本開示で使用されるシートでは、非固定領域は離隔して配置される第１固定領域と第２固定領域との間に配置されるが、実施形態に係る画像領域抽出方法に使用されるシートはこのような形状に限定されるものではない。
【０１７３】
図１９（Ａ）は第１変形例に係るシートを示す図であり、図１９（Ｂ）は第２変形例に係るシートを示す図である。図１９（Ａ）に示すシートは図２（Ｂ）に示すシートと同様な構成を有し、図１９（Ｂ）に示すシートは図２（Ｃ）に示すシートと同様な構成を有する。
【０１７４】
シート２００において、クラック２１０の拡大した場合でもシート２００の高さＨが略同一である場合、非固定領域２０１ｃの幅Ｗ３は、シート２００の幅Ｗ、第１基準縦横比ｋ1及び第２基準縦横比ｋ2から決定される。第１基準縦横比ｋ1は、非固定領域２０１ｃが拡縮していない状態におけるシート２００の左端と非固定領域２０１ｃの左端との間の長さＷ１のシート２００の高さＨに対する比率（Ｗ１／Ｈ）である。第２基準縦横比ｋ2は、非固定領域２０１ｃが拡縮していない状態におけるシート２００の右端と非固定領域２０１ｃの右端との間の長さＷ２のシート２００の高さＨに対する比率（Ｗ２／Ｈ）である。
【０１７５】
シート３００において、クラック３１０の拡大した場合でもシート３００の高さＨが略同一である場合、非固定領域３０１ｃの幅Ｗ３は、シート３００の幅Ｗ、第１基準縦横比ｋ1及び第２基準縦横比ｋ2から決定される。第１基準縦横比ｋ1は、非固定領域３０１ｃが拡縮していない状態におけるシート３００の左端と非固定領域３０１ｃの左端との間の長さＷ１のシート３００の高さＨに対する比率（Ｗ１／Ｈ）である。第２基準縦横比ｋ2は、非固定領域３０１ｃが拡縮していない状態におけるシート３００の右端と非固定領域３０１ｃの右端との間の長さＷ２のシート３００の高さＨに対する比率（Ｗ２／Ｈ）である。
【０１７６】
＜実施形態に係る画像領域抽出方法と周波数解析による画像領域抽出方法との比較＞
図２０は、実施形態に係る画像領域抽出方法と比較される周波数解析による画像領域抽出方法（本開示で、周波数解析法ともいう。）を説明するための図である。図２０（Ａ）はクラックが発生した壁面にシートを貼付けたときに撮影されたモアレ領域の例を示し、図２０（Ｂ）はクラック幅が拡大した後に撮影されたモアレ領域の例を示す。図２０（Ｃ）は周波数解析法におけるスキャンの例を示し、図２０（Ｄ）は周波数解析法における非固定領域の判定例を示す。
【０１７７】
図２０（Ａ）に示すように、シート４００をクラックが発生した貼付けたときは、第１固定領域４０１ａ、第２固定領域４０１ｂ及び非固定領域４０１ｃに発生するモアレの空間周波数は同一である。一方、図２０（Ｂ）に示すように、クラック幅が拡大した後では、非固定領域４０１ｃに発生するモアレの空間周波数は、第１固定領域４０１ａ及び第２固定領域４０１ｂに発生するモアレの空間周波数よりも高くなる。
【０１７８】
図２０（Ｃ）に示すように、周波数解析法は、微小領域４１０内で空間周波数を計算し、微小領域４１０が高周波数領域か及び低周波数領域の何れの領域に属するかをシート４００の全領域に亘って順次スキャンしながら判定することで非固定領域を抽出する。
【０１７９】
図２０（Ｄ）に示すように、周波数解析法は、低周波数領域と判定された領域は第１固定領域４０１ａ及び第２固定領域４０１ｂであり非固定領域４０１ｃではないとし、高周波数領域と判定された領域を非固定領域４０１ｃとして抽出する。
【０１８０】
図２１は、実施形態に係る画像領域抽出方法と周波数解析法との比較を示す図である。図２１（Ａ）はクラックが発生した壁面にシートを貼付けたときに撮影されたモアレ領域の例を示し、図２０（Ｂ）はクラック幅が拡大した後に撮影されたモアレ領域の例を示し、図２０（Ｃ）はクラック幅に変化がないときに撮影されたモアレ領域の例を示す。図２０（Ｄ）は、実施形態に係る画像領域抽出方法が非固定領域を判定できるのに対し、周波数解析法非固定領域を判定できない第１のサンプルシートを示す。図２０（Ｅ）は、実施形態に係る画像領域抽出方法が非固定領域を判定できるのに対し、周波数解析法非固定領域を判定できない第２のサンプルシートを示す。
【０１８１】
図２１（Ａ）及び２１（Ｃ）に示すように、シート５００をクラックが発生した貼付けたとき及び非固定領域５０１ｃが伸縮しないときは、第１固定領域５０１ａ、第２固定領域５０１ｂ及び非固定領域５０１ｃに発生するモアレの空間周波数は同一である。一方、図２１（Ｂ）に示すように、クラック幅が拡大した後では、非固定領域５０１ｃに発生するモアレの空間周波数は、第１固定領域５０１ａ及び第２固定領域５０１ｂに発生するモアレの空間周波数よりも高くなる。
【０１８２】
第１サンプルシート５１０は、左端に位置する第１端部５１１ａ及び右端に位置する第２端部５１１ｂに発生するモアレの空間周波数を、第１端部５１１ａと第２端部５１１ｂとの間に位置する中央部５１１ｃの空間周波数よりも高くなるように形成される。
【０１８３】
実施形態に係る画像領域抽出方法は、第１端部５１１ａ及び第２端部５１１ｂのそれぞれの縦横比に基づいて中央部５１１ｃを抽出するので、第１サンプルシート５１０から中央部５１１ｃを抽出することができる。一方、周波数解析法は、第１端部５１１ａ及び第２端部５１１ｂに発生するモアレの空間周波数よりもモアレの空間周波数が小さい領域を中央部５１１ｃとするので、第１サンプルシート５１０から中央部５１１ｃを抽出することができない。なお、周波数解析法の変形例として、第１端部５１１ａ及び第２端部５１１ｂに発生するモアレの空間周波数が略同一であり且つ発生する空間周波数が第１端部５１１ａ及び第２端部５１１ｂと異なる領域を中央部５１１ｃとして抽出する方法がある。周波数解析法の変形例は、発生する空間周波数が第１端部５１１ａ及び第２端部５１１ｂと異なる領域を中央部５１１ｃとして抽出するので、第１サンプルシート５１０から中央部５１１ｃを抽出することができる。
【０１８４】
第２サンプルシート５２０は、左端に位置する第１端部５２１ａ及び右端に位置する第２端部５２１ｂに発生するモアレの空間周波数を、第１端部５２１ａと第２端部５２１ｂとの間に位置する中央部５２１ｃの空間周波数よりも高くなるように形成される。第１端部５２１ａは、左端に位置し且つ発生するモアレの空間周波数が中央部５２１ｃの空間周波数よりも高い第１−１端部５２１ａ１と、発生するモアレの空間周波数が第１−１端部５２１ａ１より空間周波数が更に高い第１−２端部５２１ａ２とを有する。第２端部５２１ｂは、右端に位置し且つ発生するモアレの空間周波数が中央部５２１ｃの空間周波数よりも高い第２−１端部５２１ｂ１と、発生するモアレの空間周波数が第２−１端部５２１ｂ１より空間周波数が更に高い第２−２端部５２１ｂ２とを有する。
【０１８５】
実施形態に係る画像領域抽出方法は、第１端部５２１ａ及び第２端部５２１ｂのそれぞれの縦横比に基づいて中央部５２１ｃを抽出するので、第２サンプルシート５２０から中央部５２１ｃを抽出することができる。一方、周波数解析法は、第１端部５１１ａ及び第２端部５１１ｂに発生するモアレの空間周波数よりもモアレの空間周波数が小さい領域を中央部５１１ｃとするので、第１サンプルシート５１０から中央部５１１ｃを抽出することができない。また、周波数解析法の変形例は、第１−１端部５２１ａ１及び第２−１端部５２１ｂ１と周波数が相違する第１−２端部５２１ａ２、第２−２端部５２１ｂ２及び中央部５１１ｃを中央部抽出し、中央部５１１ｃのみを抽出することはできない。
【０１８６】
表１は、第１サンプルシート５１０及び第２サンプルシート５２０を使用した中央部の抽出結果をまとめた表である。実施形態に係る画像領域抽出方法は、第１サンプルシート５１０及び第２サンプルシート５２０の双方で、中央部を正確に抽出することができる。周波数解析法は、第１サンプルシート５１０では変形例によれば中央部を抽出できるが、第２サンプルシート５２０では中央部を正確に抽出することはできない。
【０１８７】
【表１】
2018124155.tif 000003
【符号の説明】
【０１８８】
１    画像領域抽出装置
２    画像領域抽出システム
３    端末装置
４    サーバ（画像領域抽出装置）
２０    端末処理部
２１、３１１    撮像指示部
２２、５１１    シート画像データ取得部
２３、５１２    モアレ領域抽出部
２４、５１３    非固定領域抽出部
２５、３３    非固定領域出力部
２６、３１３    撮像処理終了判定部
２７、３４    非固定領域選択指示部
２８、３５    非固定領域画像決定部
【図１】
2018124155.tif 000004
【図２】
2018124155.tif 000005
【図３】
2018124155.tif 000006
【図４】
2018124155.tif 000007
【図５】
2018124155.tif 000008
【図６】
2018124155.tif 000009
【図７】
2018124155.tif 000010
【図８】
2018124155.tif 000011
【図９】
2018124155.tif 000012
【図１０】
2018124155.tif 000013
【図１１】
2018124155.tif 000014
【図１２】
2018124155.tif 000015
【図１３】
2018124155.tif 000016
【図１４】
2018124155.tif 000017
【図１５】
2018124155.tif 000018
【図１６】
2018124155.tif 000019
【図１７】
2018124155.tif 000020
【図１８】
2018124155.tif 000021
【図１９】
2018124155.tif 000022
【図２０】
2018124155.tif 000023
【図２１】
2018124155.tif 000024